(57)【要約】【課題】係合部を有するクラッチプレートを、被係合部を有する回転伝達部材に組み付ける際に、その組み付けを容易にする。【解決手段】このクラッチ装置は、環状のドリブンプレート５２と、クラッチセンタ１３と、を備えている。ドリブンプレート５２は複数の係合凹部を有する。クラッチセンタ１３は、回転軸の回りに回転可能であり、ドリブンプレート５２が軸方向移動可能にかつ相対回転不能に組み付けられる。また、クラッチセンタ１３は、円筒状の本体２７１と、第１歯２７２と、ガイド部としての突出歯２７２ａと、を有している。第１歯２７２は、本体２７１に設けられ、ドリブンプレート５２の係合凹部に係合可能である。突出歯２７２ａは、ドリブンプレート５２をクラッチセンタ１３に挿入して組み付ける際に、挿入ガイドとなる。【選択図】図１０
2019158014.tif 000002
【特許請求の範囲】
【請求項１】
複数の係合部を有する環状のクラッチプレートと、
回転軸の回りに回転可能であり、前記クラッチプレートが軸方向移動可能にかつ相対回転不能に組み付けられる回転伝達部材と、
を備え、
前記回転伝達部材は、
円筒状の本体と、
前記本体に設けられ、前記クラッチプレートの係合部に係合可能な被係合部と、
前記クラッチプレートを前記回転伝達部材に挿入して組み付ける際に、挿入ガイドとなるガイド部と、
を有する、
クラッチ装置。
【請求項２】
前記係合部は、前記クラッチプレートの内周端部に形成された係合凹部であり、
前記被係合部は、前記回転伝達部材の本体の外周面に形成された係合凸部である、
請求項１に記載のクラッチ装置。
【請求項３】
複数の前記係合凸部は、前記クラッチプレートが組み付けられる側の軸方向端面が他より軸方向に突出する複数の軸方向突出部を有しており、
前記ガイド部は前記軸方向突出部である、
請求項２に記載のクラッチ装置。
【請求項４】
複数の前記係合凸部は複数の軸方向非突出部を有し、前記軸方向非突出部の前記クラッチプレートが組み付けられる側の軸方向端面は、前記円筒状本体の軸方向端面と軸方向において同じ位置である、請求項３に記載のクラッチ装置。
【請求項５】
複数の前記係合凸部は複数の軸方向退避部を有し、前記軸方向退避部の前記クラッチプレートが組み付けられる側の軸方向端面は、前記軸方向非突出部の軸方向端面よりもさらに組付け側とは逆側に退避して形成されている、請求項４に記載のクラッチ装置。
【請求項６】
前記クラッチプレートは、前記軸方向突出部に係合する部分に、前記係合凹部の円周方向幅よりも幅広の切欠を有している、請求項３から５のいずれかに記載のクラッチ装置。
【請求項７】
前記クラッチプレートは、複数の第１係合部を有する環状の第１クラッチプレートと、複数の第２係合部を有する環状の第２クラッチプレートと、を有し、前記第１クラッチプレートと前記第２クラッチプレートとは軸方向に並べて配置されており、
前記回転伝達部材は、それぞれ回転軸の回りに回転可能であって軸方向に並べて配置された、前記第１クラッチプレートが軸方向移動可能にかつ相対回転不能に組み付けられる第１回転体と、前記第２クラッチプレートが軸方向移動可能にかつ相対回転不能に組み付けられる第２回転体と、を有し、
前記第１回転体は、
円筒状の第１本体と、
前記第１本体に設けられ、前記第１クラッチプレートの第１係合部に係合可能な第１被係合部と、
前記第１クラッチプレートを前記第１回転体に挿入して組み付ける際に、挿入ガイドとなる第１ガイド部と、
を有し、
前記第２回転体は、
円筒状の第２本体と、
前記第２本体に設けられ、前記第２クラッチプレートの第２係合部に係合可能な第２被係合部と、
前記第２クラッチプレートを前記第２回転体に挿入して組み付ける際に、挿入ガイドとなる第２ガイド部と、
を有している、
請求項１から６のいずれかに記載のクラッチ装置。
【請求項８】
前記第１係合部は、前記第１クラッチプレートの内周端部に形成された第１係合凹部であり、
前記第２係合部は、前記第２クラッチプレートの内周端部に形成された第２係合凹部であり、
前記第１被係合部は、前記第１本体の外周面に形成された第１係合凸部であり、
前記第２被係合部は、前記第２本体の外周面に形成された第２係合凸部であり、
複数の前記第１係合凸部は、前記第１クラッチプレートが組み付けられる側の軸方向端面が他より軸方向に突出する複数の第１軸方向突出部を有しており、
複数の前記第２係合凸部は、前記第２クラッチプレートが組み付けられる側の軸方向端面が他より軸方向に突出する複数の第２軸方向突出部を有しており、
前記第１ガイド部は前記第１軸方向突出部であり、
前記第２ガイド部は前記第２軸方向突出部である、
請求項７に記載のクラッチ装置。
【請求項９】
前記第１回転体の前記第１クラッチプレートが組み付けられる側の軸方向端面と、前記第２回転体の前記第２クラッチプレートが組み付けられる側の軸方向端面とは、軸方向に対向して配置されている、請求項７又は８に記載のクラッチ装置。
【請求項１０】
前記第１回転体と前記第２回転体の外径は同径である、請求項７から９のいずれかに記載のクラッチ装置。
【請求項１１】
前記第１回転体は、外周部に環状の受圧部を有し、内周部が前記トランスミッション側の部材に連結されるクラッチセンタであり、
前記第２回転体は、前記クラッチセンタの軸方向の第１側に前記クラッチセンタに対して軸方向に移動自在に配置され、前記受圧部と間隔をあけて配置される押圧部を有するプレッシャプレートであり、
前記クラッチセンタに固定されて前記プレッシャプレートに押圧力を与えるサポートプレートと、
前記クラッチセンタ及び前記プレッシャプレートを内部に収容するクラッチハウジングと、
前記受圧部と前記押圧部との間に配置され、前記クラッチハウジングから出力側への動力の伝達及び遮断を行うためのクラッチ部と、
前記サポートプレートと前記プレッシャプレートとの間に配置され、前記プレッシャプレートに押圧力を与えて前記クラッチ部を動力伝達状態にする付勢部材と、
をさらに備えた、
請求項１から１０のいずれかに記載のクラッチ装置。
【請求項１２】
前記第２回転体は、外周部に環状の受圧部を有し、内周部が前記トランスミッション側の部材に連結されるクラッチセンタであり、
前記第１回転体は、前記クラッチセンタの軸方向の第２側に前記クラッチセンタに対して軸方向に移動自在に配置され、前記受圧部と間隔をあけて配置される押圧部を有するプレッシャプレートであり、
前記プレッシャプレートに固定されて前記クラッチセンタに押圧力を与えるリフタプレートと、
前記クラッチセンタ及び前記プレッシャプレートを内部に収容するクラッチハウジングと、
前記受圧部と前記押圧部との間に配置され、前記クラッチハウジングから出力側への動力の伝達及び遮断を行うためのクラッチ部と、
前記リフタプレートと前記クラッチセンタとの間に配置され、前記プレッシャプレートに押圧力を与えて前記クラッチ部を動力伝達状態にする付勢部材と、
をさらに備えた、
請求項１から１０のいずれかに記載のクラッチ装置。
【発明の詳細な説明】
【技術分野】
【０００１】
本発明は、クラッチ装置に関する。
【背景技術】
【０００２】
例えば、自動二輪車及びバギーなどのモータサイクルには、エンジンからの動力をトランスミッションに伝達又は遮断するためにクラッチ装置が用いられている。このクラッチ装置は、エンジンのクランク軸側に連結されるクラッチハウジングと、トランスミッション側に連結されるクラッチセンタと、それらの間で動力の伝達、遮断を行うためのクラッチ部と、クラッチ部を押圧するためのプレッシャプレートとを有している。
【０００３】
この種のクラッチ装置として、特許文献１に記載のクラッチ装置が提案されている。このクラッチ装置は、クラッチセンタとプレッシャプレートとの間に軸方向間に配置されたクラッチ部を備えている。クラッチ部は、複数の第１及び第２クラッチプレートを有している。第１クラッチプレートは、クラッチハウジングに対して、軸方向に移動可能かつ相対回転不能である。第２クラッチプレートは、クラッチセンタに対して、軸方向に移動可能かつ相対回転不能である。そして、これらの第１及び第２クラッチプレートを、プレッシャプレートによって互いに押圧することにより、クラッチハウジングからクラッチセンタにトルクが伝達される。
【先行技術文献】
【特許文献】
【０００４】
【特許文献１】特開２０１７−１０１８１１号公報
【発明の概要】
【発明が解決しようとする課題】
【０００５】
特許文献１のクラッチ装置では、クラッチセンタと第２クラッチプレートとはスプラインによって結合されている。すなわち、クラッチセンタには複数の歯が形成され、第２クラッチプレートには、この歯に噛み合う複数の溝が形成され、互いに結合されている。
【０００６】
このような構成において、クラッチセンタに第２クラッチプレート組み込む場合、スプラインの歯、すなわち軸端面に対して、第２クラッチプレートを高い平行度を保持しつつスプラインの歯に挿入しなければならない。仮に、第２クラッチプレートがクラッチセンタの軸端面に対して傾斜していると、スプラインの歯に第２クラッチプレートが噛み込み、組み付けが困難になる。
【０００７】
本発明の課題は、係合部を有するクラッチプレートを、被係合部を有する回転伝達部材に組み付ける際に、その組み付けを容易にすることにある。
【課題を解決するための手段】
【０００８】
（１）本発明の一側面に係るクラッチ装置は、環状のクラッチプレートと、回転伝達部材と、を備えている。クラッチプレートは複数の係合部を有する。回転伝達部材は、回転軸の回りに回転可能であり、クラッチプレートが軸方向移動可能にかつ相対回転不能に組み付けられる。また、回転伝達部材は、円筒状の本体と、被係合部と、ガイド部と、を有している。被係合部は、本体に設けられ、クラッチプレートの係合部に係合可能である。ガイド部は、クラッチプレートを回転伝達部材に挿入して組み付ける際に、挿入ガイドとなる。
【０００９】
この装置では、回転伝達部材には、クラッチプレートを組み付ける際のガイド部が形成されている。したがって、このガイド部を案内としてクラッチプレートを回転伝達部材に挿入し、クラッチプレートの係合部と回転伝達部材の被係合部とを係合させることができる。このため、従来装置に比較してクラッチプレートの回転伝達部材への組付けが容易になる。
【００１０】
（２）好ましくは、係合部は、クラッチプレートの内周端部に形成された係合凹部である。また、被係合部は、回転伝達部材の本体の外周面に形成された係合凸部である。
【００１１】
この場合も、前記同様に、回転伝達部材のガイド部を案内としてクラッチプレートを回転伝達部材に容易に組み付けることができる。
【００１２】
（３）好ましくは、複数の係合凸部は、クラッチプレートが組み付けられる側の軸方向端面が他より軸方向に突出する複数の軸方向突出部を有している。そして、ガイド部は軸方向突出部である。
【００１３】
ここでは、回転伝達部材に設けられた軸方向突出部は、クラッチプレートが組み付けられる方向に突出している。このため、この軸方向突出部にクラッチプレートの係合凹部の一部のみを差し込み、その軸方向突出部を案内としてクラッチプレートを回転伝達部材に挿入していくことができる。すなわち、軸方向突出部がクラッチプレートを回転伝達部材に組み付ける際のガイド部になり、クラッチプレートの組付けが容易になる。
【００１４】
（４）好ましくは、複数の係合凸部は複数の軸方向非突出部を有し、軸方向非突出部のクラッチプレートが組み付けられる側の軸方向端面は、円筒状本体の軸方向端面と軸方向において同じ位置である。
【００１５】
ここでは、回転伝達部材の複数の係合凸部のうちの一部のみを軸方向に突出させて軸方向突出部を実現できる。したがって、製造が容易になる。
【００１６】
（５）好ましくは、複数の係合凸部は複数の軸方向退避部を有している。軸方向退避部のクラッチプレートが組み付けられる側の軸方向端面は、軸方向非突出部の軸方向端面よりもさらに組付け側とは逆側に退避して形成されている。
【００１７】
（６）好ましくは、クラッチプレートは、軸方向突出部に係合する部分に、係合凹部の円周方向幅よりも幅広の切欠を有している。
【００１８】
ここでは、回転伝達部材とクラッチプレートの回転方向の位相がずれても、軸方向突出部がクラッチプレートに衝突するのを避けることができる。
【００１９】
（７）好ましくは、クラッチプレートは、複数の第１係合部を有する環状の第１クラッチプレートと、複数の第２係合部を有する環状の第２クラッチプレートと、を有し、第１クラッチプレートと第２クラッチプレートとは軸方向に並べて配置されている。また、回転伝達部材は、それぞれ回転軸の回りに回転可能であって軸方向に並べて配置された第１回転体及び第２回転体を有している。第１回転体は、第１クラッチプレートが軸方向移動可能にかつ相対回転不能に組み付けられる。第２回転体は、第２クラッチプレートが軸方向移動可能にかつ相対回転不能に組み付けられる。
【００２０】
さらに好ましくは、第１回転体は、円筒状の第１本体と、第１被係合部と、第１ガイド部と、を有している。第１被係合部は、第１本体に設けられ、第１クラッチプレートの第１係合部に係合可能である。第１ガイド部は、第１クラッチプレートを第１回転体に挿入して組み付ける際に、挿入ガイドとなる。また、第２回転体は、円筒状の第２本体と、第２被係合部と、第２ガイド部と、を有している。第２被係合部は、第２本体に設けられ、第２クラッチプレートの第２係合部に係合可能である。第２ガイド部は、第２クラッチプレートを第２回転体に挿入して組み付ける際に、挿入ガイドとなる。
【００２１】
（８）好ましくは、各クラッチプレート及び各回転体の構成は以下の通りである。第１係合部は、第１クラッチプレートの内周端部に形成された第１係合凹部である。第２係合部は、第２クラッチプレートの内周端部に形成された第２係合凹部である。第１被係合部は、第１本体の外周面に形成された第１係合凸部である。第２被係合部は、第２本体の外周面に形成された第２係合凸部である。複数の第１係合凸部は、第１クラッチプレートが組み付けられる側の軸方向端面が他より軸方向に突出する複数の第１軸方向突出部を有している。複数の第２係合凸部は、第２クラッチプレートが組み付けられる側の軸方向端面が他より軸方向に突出する複数の第２軸方向突出部を有している。そして、第１ガイド部は第１軸方向突出部であり、第２ガイド部は第２軸方向突出部である。
【００２２】
（９）好ましくは、第１回転体の第１クラッチプレートが組み付けられる側の軸方向端面と、第２回転体の第２クラッチプレートが組み付けられる側の軸方向端面とは、軸方向に対向して配置されている。
【００２３】
（１０）好ましくは、第１回転体と第２回転体の外径は同径である。
【００２４】
（１１）好ましくは、第１回転体は、外周部に環状の受圧部を有し、内周部がトランスミッション側の部材に連結されるクラッチセンタである。第２回転体は、クラッチセンタの軸方向の第１側にクラッチセンタに対して軸方向に移動自在に配置され、受圧部と間隔をあけて配置される押圧部を有するプレッシャプレートである。支持部材は、クラッチセンタに固定されてプレッシャプレートに押圧力を与えるサポートプレートである。
【００２５】
そして、クラッチハウジングと、クラッチ部と、付勢部材と、をさらに備えているのが好ましい。クラッチハウジングは、クラッチセンタ及びプレッシャプレートを内部に収容する。クラッチ部は、受圧部と押圧部との間に配置され、クラッチハウジングから出力側への動力の伝達及び遮断を行う。付勢部材は、サポートプレートとプレッシャプレートとの間に配置され、プレッシャプレートに押圧力を与えてクラッチ部を動力伝達状態にする。
【００２６】
この装置では、付勢部材によってプレッシャプレートがクラッチセンタ側に付勢されている。これにより、押圧部がクラッチ部を受圧部に対して押圧し、クラッチ部が動力伝達状態になっている。そして、プレッシャプレートを付勢部材の付勢力に抗して移動させることにより、クラッチ部は動力遮断状態になる。
【００２７】
（１２）好ましくは、第２回転体は、外周部に環状の受圧部を有し、内周部がトランスミッション側の部材に連結されるクラッチセンタである。第１回転体は、クラッチセンタの軸方向の第２側にクラッチセンタに対して軸方向に移動自在に配置され、受圧部と間隔をあけて配置される押圧部を有するプレッシャプレートである。
【００２８】
そして、リフタプレートと、クラッチハウジングと、クラッチ部と、付勢部材とをさらに備えているのが好ましい。リフタプレートは、プレッシャプレートに固定されてクラッチセンタに押圧力を与える。クラッチハウジングは、クラッチセンタ及びプレッシャプレートを内部に収容する。クラッチ部は、受圧部と押圧部との間に配置され、クラッチハウジングから出力側への動力の伝達及び遮断を行う。付勢部材は、リフタプレートとクラッチセンタとの間に配置され、プレッシャプレートに押圧力を与えてクラッチ部を動力伝達状態にする。
【００２９】
この装置では、付勢部材によってプレッシャプレートがクラッチセンタ側に付勢されている。これにより、押圧部がクラッチ部を受圧部に対して押圧し、クラッチ部が動力伝達状態になっている。そして、リフタプレートを介してプレッシャプレートを付勢部材の付勢力に抗して移動させることにより、クラッチ部は動力遮断状態になる。
【発明の効果】
【００３０】
以上のような本発明では、係合部を有するクラッチプレートを、被係合部を有する回転伝達部材に組み付ける際に、その組み付けが容易になる。
【図面の簡単な説明】
【００３１】
【図１Ａ】本発明の一実施形態によるクラッチ装置の断面図。
【図１Ｂ】前記クラッチ装置の他の断面部分図。
【図２】クラッチセンタの外観斜視図。
【図３】プレッシャプレートを軸方向の第２側から視た外観斜視図。
【図４】プレッシャプレートを軸方向の第１側から視た外観斜視図。
【図５】図１の拡大部分図。
【図６】クラッチセンタの筒状部内周面に形成された油路を示す図。
【図７】サポートプレートの外観斜視図。
【図８】カム機構を説明するための展開図。
【図９】図８の一部を抽出した図。
【図１０】クラッチセンタ及びプレッシャプレートの外観側面図。
【図１１Ａ】他の実施形態によるプッシュタイプのクラッチ装置の断面図。
【図１１Ｂ】図１１Ａのクラッチ装置の他の断面図。
【図１２】他の実施例によるクラッチセンタ及びプレッシャプレートの外周面を示す模式図。
【図１３】他の実施形態によるドリブンプレートの正面部分図。
【発明を実施するための形態】
【００３２】
［全体構成］
図１〜図８に、本発明の一実施形態によるクラッチ装置としてのモータサイクル用クラッチ装置１０を示している。図１Ａはクラッチ装置１０の断面図、図１Ｂは図１Ａとは異なる位置での断面図である。また、図２〜図４及び図７は主な部材の外観斜視図である。図１Ａ及び図１Ｂの断面図において、Ｏ−Ｏ線が回転軸線である。なお、以下の説明において、「軸方向」とは回転軸Ｏが延びる方向を示し、図１に示すように、図１の右側を「軸方向の第１側」、逆を「軸方向の第２側」とする。
【００３３】
クラッチ装置１０は、エンジンからの動力をトランスミッションに伝達したり、その伝達を遮断したりするように構成されている。このクラッチ装置１０は、クラッチハウジング１２、クラッチセンタ１３（回転伝達部材のうちの第１回転体の一例）、プレッシャプレート１４（回転伝達部材のうちの第２回転体の一例）、クラッチ部１５、サポートプレート１６（支持部材の一例）、アシストカム機構１７（図１Ｂ参照）、及びスリッパカム機構１８（図１Ｂ参照）を備えている。また、クラッチ装置１０は、複数の押圧用のコイルスプリング１９をさらに備えている。
【００３４】
［クラッチハウジング１２］
クラッチハウジング１２は、円板部１２ａ及び筒状部１２ｂを備え、入力ギア２０に連結されている。入力ギア２０はエンジン側のクランク軸に固定された駆動ギア（図示せず）に噛み合っている。
【００３５】
円板部１２ａには、複数のコイルスプリング２２を介して入力ギア２０が連結されている。複数のコイルスプリング２２は、入力ギア２０に形成された孔に挿入され、エンジンからの振動を吸収するために設けられたものである。
【００３６】
筒状部１２ｂは、円板部１２ａの外周縁から軸方向の第１側に延びるように形成されている。この筒状部１２ｂには、軸方向に延びる複数の切欠き１２ｃが円周方向に所定の間隔で形成されている。
【００３７】
［クラッチセンタ１３］
クラッチセンタ１３は、クラッチハウジング１２の内部、すなわちクラッチハウジング１２の筒状部１２ｂの内周部に配置されている。クラッチセンタ１３は略円板状であって、中央部に形成されたボス部２５と、円板部２６と、筒状部２７と、受圧部２８と、を有している。
【００３８】
ボス部２５は、軸方向の第１側に突出するように延びている。ボス部２５の中央部には軸方向に延びるスプライン孔２５ａが形成されている。このスプライン孔２５ａには、トランスミッションの入力軸（図示省略）が係合する。なお、クラッチセンタ１３は、軸方向において移動しない。
【００３９】
円板部２６は、ボス部２５から外周側に延びて形成されている。円板部２６には、図２に示すように、３つの第１突起部３０が形成されている。３つの第１突起部３０は、円板部２６の径方向の中間部に、円周方向に等角度間隔で並べて、かつ軸方向の第１側に突出して形成されている。また、３つの第１突起部３０は、筒状部２７の内周面２７ｄから離れて形成されており、第１突起部３０の外周面と、筒状部２７の内周面２７ｄと、の間には隙間が確保されている。
【００４０】
第１突起部３０は、第１カム用突起３１と、第１固定用突起３２と、を有している。第１カム用突起３１と第１固定用突起３２とは、円周方向に連続して一体で形成されている。
【００４１】
第１カム用突起３１の円周方向の端面（すなわち、第１突起部３０の円周方向の一方側の端面）には、スリッパカム機構１８を構成するクラッチセンタ１３側のカム面（以下、「ＣＣ・カム面」と記す）１８ａが形成されている（詳細は後述する）。
【００４２】
第１固定用突起３２の軸方向の長さ、すなわち第１固定用突起３２の高さは、第１カム用突起３１の高さより高い。すなわち、第１固定用突起３２の先端面３２ａ（軸方向の第１側の端面）は、第１カム用突起３１の先端面３１ａよりも、軸方向の第１側に突出している。また、第１固定用突起３２の高さは、筒状部２７の高さより低い。
【００４３】
このような第１固定用突起３２の構成により、第１固定用突起３２の先端面３２ａを旋盤により加工することが可能になる。
【００４４】
また、第１固定用突起３２の中心部には、軸方向に延びるねじ孔３２ｂが形成されている。
【００４５】
筒状部２７は、円板部２６の外周部から軸方向の第１側に延びて形成されている。筒状部２７は、円筒状の本体２７１（第１本体の一例）と、本体２７１の外周面に形成された係合用の複数の第１歯２７２（第１被係合部、第１係合凸部の一例）と、を有している。なお、筒状部２７及び係合用の複数の第１歯２７２についての詳細は後述する。
【００４６】
受圧部２８は、筒状部２７の外周側においてさらに外周側に延びて形成されている。受圧部２８は、環状であり、軸方向の第１側を向いている。この受圧部２８は、クラッチ部１５と対向している。
【００４７】
［プレッシャプレート１４］
プレッシャプレート１４は、図１Ａ，Ｂ、図３、及び図４に示すように、円板状の部材であり、クラッチセンタ１３の軸方向の第１側に配置されている。なお、図３はプレッシャプレート１４をクラッチセンタ１３側から視た図、図４はプレッシャプレート１４をクラッチセンタ１３とは逆側から視た図である。
【００４８】
プレッシャプレート１４は、クラッチセンタ１３に対して軸方向に移動自在である。プレッシャプレート１４は、中央部に形成されたボス部４０と、筒状部４１と、押圧部４２と、を有している。
【００４９】
ボス部４０は、軸方向の第１側に突出するように延びている。ボス部４０の中央には、円形の孔４０ａが形成されている。この孔４０ａに、図示しないレリーズ部材が挿入される。
【００５０】
筒状部４１は、ボス部４０の外周側に形成され、軸方向の第２側に突出している。筒状部４１は、軸方向と直交する方向視で、クラッチセンタ１３の筒状部２７と重なるように配置されている。また、筒状部４１は、クラッチセンタ１３の筒状部２７と、第１突起部３０と、の間の隙間に挿入されるように配置されている。
【００５１】
筒状部４１は、円筒状の本体４１１（第２本体の一例）と、本体４１１の外周面に形成された係合用の複数の第２歯４１２（第２被係合部、第２係合凸部の一例）と、を有している。複数の第２歯４１２は、本体４１１の外周面において、軸方向の第１側の端部に設けられている。複数の第２歯４１２の軸方向長さは、本体４１１の軸方向長さよりも短い。
【００５２】
図５に拡大して示すように、筒状部４１（本体４１１）の外周面４１ａは、クラッチセンタ１３の筒状部２７の内周面２７ａに遊びを持ちつつ嵌め合わされている。このように、プレッシャプレート１４の筒状部４１の外周面４１ａと、クラッチセンタ１３の筒状部２７の内周面２７ａと、の嵌合によって、プレッシャプレート１４はクラッチセンタ１３に対して径方向に位置決めされている。
【００５３】
また、筒状部４１は、中央部に形成された概略円形の孔４１ｂと、３つのカム用孔４１ｃと、３つの有底穴４１ｄ（図４参照）と、を有している。
【００５４】
カム用孔４１ｃは、中央部の孔４１ｂの外周側に、径方向外方に広がるように形成されている。図３、図４、及び図８に示すように、カム用孔４１ｃの円周方向に対向する壁面において、軸方向の第１側にはアシストカム機構１７用のカム面（以下、「ＰＰａ・カム面」と記す）１７ｂが形成され、軸方向の第２側にはスリッパカム機構１８用のカム面（以下、「ＰＰｓ・カム面」と記す）１８ｂが形成されている。各カム面１７ｂ，１８ｂの詳細については後述する。有底穴４１ｄは、孔４１ｂの外周側に、軸方向の第１側の面から所定の深さで形成されている。この有底穴４１ｄに、図１Ａ及び図８に示すように、コイルスプリング１９が配置されている。
【００５５】
押圧部４２は、環状に形成され、プレッシャプレート１４の外周部に形成されている。押圧部４２は、軸方向の第２側を向いている。また、押圧部４２は、軸方向において、クラッチセンタ１３の受圧部２８と間隔をあけて配置されている。この押圧部４２と受圧部２８との間に、クラッチ部１５が配置されている。すなわち、軸方向の第２側から第１側に向かって、受圧部２８、クラッチ部１５、押圧部４２の順に並んでいる。
【００５６】
＜油路＞
図６に示すように、クラッチセンタ１３の筒状部２７には、油路４５が形成されている。油路４５は、筒状部２７の内周側の潤滑油を、筒状部２７の外周側のクラッチ部１５に供給するものである。
【００５７】
油路４５は、それぞれ複数の溝４５ａ及び連絡孔４５ｂを有している。溝４５ａは、筒状部２７の内周面２７ａに形成されている。溝４５ａは、所定の深さを有し、円周方向に所定の幅を有している。溝４５ａの円周方向の幅は、連絡孔４５ｂの円周方向の幅よりも広い。また、溝４５ａは、軸方向の第１側に向かって開いており、軸方向の第２側へは、プレッシャプレート１４の筒状部４１の先端面よりも延びて形成されている。連絡孔４５ｂは、溝４５ａの底面から筒状部２７の外周面に貫通して形成されている。なお、連絡孔４５ｂが形成された個所の歯２７２は欠損している。
【００５８】
このような油路４５により、作動中において、筒状部２７の内周側の潤滑油は、遠心力によりいったん溝４５ａに溜まり、この溝４５ａから連絡孔４５ｂを介して筒状部２７の外周側のクラッチ部１５に供給される。また、溝４５ａは、軸方向の第１側に向かって開いているので、溝４５ａに溜まった潤滑油は、軸方向の第１側、すなわち、プレッシャプレート１４の歯４１２にも導かれる。この歯４１２に導かれた潤滑油は、後述する第２ドリブンプレート５２２の表面にも供給される。
【００５９】
［クラッチ部１５］
図１Ａ及び図１Ｂに示すように、クラッチ部１５は、複数のドライブプレート５１と、複数のドリブンプレート５２（クラッチプレートの一例）と、を有する。ドライブプレート５１及びドリブンプレート５２は、受圧部２８と押圧部４２との間に配置されている。両プレート５１，５２によって、クラッチハウジング１２とクラッチセンタ１３及びプレッシャプレート１４との間で動力を伝達したり、その動力の伝達が遮断されたりする。これらの両プレート５１，５２はともに環状に形成されており、軸方向に交互に配置されている。
【００６０】
ドライブプレート５１は、クラッチハウジング１２に対して、軸方向に移動可能であり、かつ相対回転不能である。すなわち、ドライブプレート５１は、クラッチハウジング１２と一体的に回転する。詳細には、ドライブプレート５１の外周部には径方向外側に突出する複数の係合突起が形成されている。この係合突起がクラッチハウジング１２の筒状部１２ｂに形成された係合用の切欠き１２ｃに噛み合っている。ドライブプレート５１には両面に摩擦材が貼付されている。
【００６１】
ドリブンプレート５２は、複数の第１ドリブンプレート５２１及び１枚の第２ドリブンプレート５２２を有している。第１ドリブンプレート５２１及び第２ドリブンプレート５２２は、それぞれ内周端部に複数の係合凹部５２１ａ，５２２ａ（第１係合部、第２係合部の一例。図１Ａ及び図５参照）を有している。
【００６２】
第１ドリブンプレート５２１の係合凹部５２１ａは、クラッチセンタ１３の筒状部２７に形成された係合用の第１歯２７２に係合している。また、第２ドリブンプレート５２２の係合用の凹部５２２ａは、プレッシャプレート１４の第２歯４１２に係合している。したがって、第１ドリブンプレート５２１は、クラッチセンタ１３に対して、軸方向に移動可能であり、かつ相対回転不能である。すなわち、第１ドリブンプレート５２１は、クラッチセンタ１３と一体的に回転する。また、第２ドリブンプレート５２２は、プレッシャプレート１４に対して、軸方向に移動可能であり、かつ相対回転不能である。すなわち、第２ドリブンプレート５２２は、プレッシャプレート１４と一体的に回転する。
【００６３】
［サポートプレート１６］
サポートプレート１６は、円板状の部材であり、プレッシャプレート１４よりも、軸方向の第１側に配置されている。図１Ａ，Ｂ及び図７に示すように、サポートプレート１６は、中央部に孔１６ａを有しており、この孔１６ａをプレッシャプレート１４のボス部４０が貫通している。また、サポートプレート１６は、３つの第２突起部５５と、３つの支持用凹部５６と、を有している。
【００６４】
３つの第２突起部５５は、孔１６ａの外周側に、円周方向に等角度間隔で並べて、かつ軸方向の第２側に突出して形成されている。第２突起部５５は、第２カム用突起６１と、第２固定用突起６２と、を有している。第２カム用突起６１と第２固定用突起６２とは、円周方向に連続して一体で形成されている。
【００６５】
第２カム用突起６１の円周方向の端面（すなわち、第２突起部５５の円周方向の一方側の端面）には、アシストカム機構１７を構成するサポートプレート１６側のカム面（第１カム面の一例であり、以下、「ＳＰ・カム面」と記す）１７ａが形成されている。
【００６６】
第２固定用突起６２の軸方向の長さ、すなわち第２固定用突起６２の高さは、第２カム用突起６１の高さより高い。すなわち、第２固定用突起６２の先端面６２ａ（軸方向の第２側の端面）は、第２カム用突起６１の先端面６１ａよりも、軸方向の第２側に突出している。
【００６７】
このような第２固定用突起６２の構成により、第２固定用突起６２の先端面６２ａを旋盤により加工することが可能になる。
【００６８】
また、第２固定用突起６２の中心部には、軸方向に延びる貫通孔６２ｂが形成されている。そして、クラッチセンタ１３の第１固定用突起３２の先端面３２ａとサポートプレート１６の第２固定用突起６２の先端面６２ａとを当接させ、第２固定用突起６２の貫通孔６２ｂを貫通するボルト６３（図１参照）をクラッチセンタ１３の第１固定用突起３２のねじ孔３２ｂに螺合することにより、クラッチセンタ１３にサポートプレート１６が固定されている。
【００６９】
また、第２固定用突起６２の外周部には、第２固定用突起６２の先端面６２ａよりもさらに軸方向の第２側に突出する位置決め部６２ｃが形成されている。位置決め部６２ｃの内周側の面は、クラッチセンタ１３の第１固定用突起３２の外周面に沿った形状であり、両者は当接している。この両者の当接によって、サポートプレート１６はクラッチセンタ１３に対して径方向に位置決めされている。
【００７０】
支持用凹部５６には、コイルスプリング１９の端面が当接している。すなわち、コイルスプリング１９は、プレッシャプレート１４の有底穴４１ｄの底面とサポートプレート１６の支持用凹部５６との間に配置され、プレッシャプレート１４を軸方向の第２側に付勢している。この付勢力よって、クラッチ部１５はレリーズ機構が作動していない状態では、クラッチオン（動力を伝達する状態）である。
【００７１】
［アシストカム機構１７及びスリッパカム機構１８］
アシストカム機構１７は、プレッシャプレート１４とサポートプレート１６との軸方向間に配置されている。アシストカム機構１７は、クラッチセンタ１３及びプレッシャプレート１４に駆動力が作用したときに（正側のトルクが作用したときに）、クラッチ部１５の結合力を増加させるための機構である。また、スリッパカム機構１８は、プレッシャプレート１４とクラッチセンタ１３の軸方向間に配置されている。スリッパカム機構１８は、クラッチセンタ１３及びプレッシャプレート１４に逆駆動力が作用したときに（負側のトルクが作用したときに）、クラッチ部１５の結合力を低減させるための機構である。
【００７２】
＜アシストカム機構１７＞
アシストカム機構１７は、図４，図７及び図８で示すように、複数（ここでは３個）のサポートプレート１６に設けられたＳＰ・カム面１７ａと、複数（ここでは３個）のプレッシャプレート１４に設けられたＰＰａ・カム面１７ｂと、を有する。
【００７３】
ＳＰ・カム面１７ａはサポートプレート１６の第２カム用突起６１に形成されている。第２カム用突起６１は、前述のように、第２突起部５５に第２固定用突起６２とともに、サポートプレート１６の軸方向の第２側の側面に軸方向に突出して形成されている。第２突起部５５はプレッシャプレート１４のカム用孔４１ｃに挿入されている。そして、第２突起部５５の円周方向の一方の端面にＳＰ・カム面１７ａが形成されている。ＳＰ・カム面１７ａは、円周方向に対して所定の角度で傾斜している。
【００７４】
ＰＰａ・カム面１７ｂは、プレッシャプレート１４のカム用孔４１ｃに形成されている。具体的には、カム用孔４１ｃは、円周方向の一方の端面（壁面）にＰＰａ・カム面１７ｂを有している。ＰＰａ・カム面１７ｂは、円周方向に対して、ＳＰ・カム面１７ａと同じ方向に同じ角度で傾斜している。そして、このＰＰａ・カム面１７ｂに、ＳＰ・カム面１７ａが当接可能である。
【００７５】
＜スリッパカム機構１８＞
スリッパカム機構１８は、図２，図３及び図８で示すように、複数（ここでは３個）のクラッチセンタ１３に設けられたＣＣ・カム面１８ａと、複数（ここでは３個）のプレッシャプレート１４に設けられたＰＰｓ・カム面１８ｂと、を有する。
【００７６】
ＣＣ・カム面１８ａはクラッチセンタ１３の第１カム用突起３１に形成されている。第１カム用突起３１は、前述のように、第１突起部３０に第１固定用突起３２とともに、クラッチセンタ１３の軸方向の第１側の側面に軸方向に突出して形成されている。第１突起部３０はプレッシャプレート１４のカム用孔４１ｃに挿入されている。そして、第１突起部３０の円周方向の一方の端面にＣＣ・カム面１８ａが形成されている。ＣＣ・カム面１８ａは、円周方向に対して所定の角度で傾斜している。
【００７７】
ＰＰｓ・カム面１８ｂは、プレッシャプレート１４のカム用孔４１ｃｂに形成されている。具体的には、カム用孔４１ｃにおいて、ＰＰａ・カム面１７ｂが形成された側面（壁面）と円周方向において対向する逆側の端面（壁面）が、ＰＰｓ・カム面１８ｂとなっている。ただし、ＰＰａ・カム面１７ｂとＰＰｓ・カム面１８ｂとは軸方向にずれて形成されている。ＰＰｓ・カム面１８ｂは、円周方向に対して、ＣＣ・カム面１８ａと同じ方向に同じ角度で傾斜している。そして、このＰＰｓ・カム面１８ｂに、ＣＣ・カム面１８ａが当接可能である。
【００７８】
［カム面の方向と高さ］
プレッシャプレート１４は、前述のように、筒状部４１を有しており、この筒状部４１に形成されたカム用孔４１ｃの壁面にＰＰａ・カム面１７ｂ及びＰＰｓ・１８ｂが形成されている。
【００７９】
ここで、ＰＰａ・カム面１７ｂの軸方向第２側の端部を始端部、第１側の端部を終端部とする。この場合、図９に示すように、筒状部４１の軸方向の第２側の面からの高さＨ（軸方向長さ）は、ＰＰａ・カム面１７ｂの始端部Ｓａを超えて終端部まで延びている。すなわち、筒状部４１において、ＰＰａ・カム面１７ｂが形成されている部分は環状に連続している。
【００８０】
また、同様に、ＰＰｓ・カム面１８ｂの軸方向第１側の端部を始端部、第２側の端部を終端部とする。この場合、図９に示すように、筒状部４１の軸方向の第１側の面からの高さＨ（軸方向長さ）は、ＰＰｓ・カム面１８ｂの始端部Ｓｓを超えて終端部まで延びている。すなわち、筒状部４１において、ＰＰｓ・カム面１８ｂが形成されている部分は環状に連続している。
【００８１】
このように、各カム面１７ｂ，１８ｂが形成されている部分は、環状に連続している。このため、各カム面１７ｂ，１８ｂに力が作用してもプレッシャプレート１４に局部的に応力が発生することはなく、従来装置に比較してプレッシャプレート１４の強度が向上している。
【００８２】
また、ＳＰ・カム面１７ａは、第２突起部５５の回転方向の−Ｒ側に形成され、ＣＣ・カム面１８ａは、第１突起部３０の回転方向の＋Ｒ側に形成されている。言い換えれば、サポートプレート１６の第２カム用突起６１は、第２突起部５５において、第２固定用突起６２の回転方向の−Ｒ側に形成され、クラッチセンタ１３の第１カム用突起３１は、第１突起部３０において、第１固定用突起３２の回転方向の＋Ｒ側に形成されている。
【００８３】
このような構成において、アシストカム機構１７が作動した場合、ＳＰ・カム面１７ａに＋Ｒ方向の力が作用する。この力は、各固定用突起６２，３２で受けられるとともに、第１カム用突起３１を介してクラッチセンタ１３で受けられる。すなわち、板厚の厚い部分で力を受けることができるために、クラッチセンタ１３において応力が高くなるのを抑えることができる。
【００８４】
スリッパカム機構１８が作動した場合も同様であり、ＣＣ・カム面１８ａに−Ｒ方向の力が作用した場合、この力は、各固定用突起３２，６２及び第２カム用突起６１を介してサポートプレート１６で受けられる。このため、板厚の厚い部分で力を受けることができるために、サポートプレート１６において応力が高くなるのを抑えることができる。
【００８５】
［第１歯２７２及び第２歯４１２について］
前述のように、クラッチセンタ１３の筒状部２７の外周面には、複数の係合用の第１歯２７２が形成されている。また、プレッシャプレート１４の筒状部４１の外周面には、複数の係合用の第２歯４１２が形成されている。第１歯２７２と第２歯４１２の外径は同じである。
【００８６】
複数の第１歯２７２は、図２に示すように、軸方向の第１軸側に突出する複数（この例では６個）の第１突出歯２７２ａ（第１ガイド部及び第１軸方向突出部の一例）を有している。また、複数の第１歯２７２のうちの６箇所は、歯が欠損する欠損部２７２ｂとなっている。なお、軸方向の第１軸側は、クラッチセンタ１３に対して第１ドリブンプレート５２１を組み付ける側である。
【００８７】
具体的には、第１突出歯２７２ａの第１ドリブンプレート５２１を組み付ける側の端面は、残りの突出していない複数の非突出歯２７２ｃ（軸方向非突出部の一例）よりも、第１ドリブンプレート５２１を組み付ける側に突出している。複数の第１突出歯２７２ａ及び欠損部２７２ｂは、回転中心に対して対称な位置に形成されている。なお、非突出歯２７２ｃの先端面は、筒状部２７の本体２７１の軸方向端面と同じ位置である。
【００８８】
このような第１突出歯２７２ａを設けることによって、第１ドリブンプレート５２１をクラッチセンタ１３の筒状部２７の第１歯２７２に組み付ける際に、組付けが容易になる。詳細には、仮に第１突出歯２７２ａが設けられていないとすると、第１歯２７２の端面、すなわち筒状部２７の軸端面に対して、第１ドリブンプレート５２１を高い平行度を保持しつつ、第１歯２７２と第１ドリブンプレート５２１の係合凹部５２１ａを位置合わせし、組み付ける必要がある。したがって、第１ドリブンプレート５２１が筒状部２７の軸端面に対して傾斜していると、第１歯２７２に第１ドリブンプレート５２１の係合凹部５２１ａが噛み込み、組み付けが困難になる。
【００８９】
これに対して、第１歯２７２に第１突出歯２７２ａを設けることによって、第１突出歯２７２ａが組み付け時の挿入ガイドとして機能する。したがって、第１突出歯２７２ａに第１ドリブンプレート５２１の係合凹部５２１ａの一部のみを差し込み、その第１突出歯２７２ａを案内として第１ドリブンプレート５２１を筒状部２７の第１歯２７２に挿入していくことができる。このため、組み付け時に、第１歯２７２と係合凹部５２１ａとの噛み込みの発生を抑えることができ、第１ドリブンプレート５２１の組付けが容易になる。
【００９０】
また、図３に示すように、プレッシャプレート１４側の第２歯４１２についても、同様に、軸方向の第２軸側に突出する複数（この例では６個）の第２突出歯４１２ａ（第２ガイド部及び第２軸方向突出部の一例）を有している。また、複数の第２歯４１２のうちの６箇所は、歯が欠損する欠損部４１２ｂとなっている。なお、軸方向の第２軸側は、プレッシャプレート１４に対して第２ドリブンプレート５２２を組み付ける側である。
【００９１】
具体的には、第２突出歯４１２ａの第２ドリブンプレート５２２を組み付ける側の端面は、残りの突出していない複数の非突出歯４１２ｃ（軸方向非突出部の一例）よりも、第２ドリブンプレート５２２を組み付ける側に突出している。複数の第２突出歯４１２ａ及び欠損部４１２ｂは、回転中心に対して対称な位置に形成されている。
【００９２】
このような第２突出歯４１２ａを設けることによって、前記同様に、第２ドリブンプレート５２２をプレッシャプレート１４の筒状部４１の第２歯４１２に組み付ける際に、組付けが容易になる。
【００９３】
ここで、図１０に示すように、クラッチセンタ１３及びプレッシャプレート１４は、クラッチセンタ１３の第１突出歯２７２ａと、プレッシャプレート１４の欠損部４１２ｂと、が軸方向で対向するように配置されている。また、クラッチセンタ１３及びプレッシャプレート１４は、プレッシャプレート１４の第２突出歯４１２ａと、クラッチセンタ１３の欠損部２７２ｂと、が軸方向で対向するように配置されている。
【００９４】
また、クラッチセンタ１３において、欠損部２７２ｂの軸方向端面は、非突出歯２７２ｃの軸方向端面（先端面）よりも、軸方向の第２側に退避するように形成されている。
【００９５】
このような構成により、ドライブプレート５１の摩擦材が摩耗し、プレッシャプレート１４がクラッチセンタ１３に対して初期状態よりも接近するような状況になっても、クラッチセンタ１３の第１突出歯２７２ａと、プレッシャプレート１４の第２突出歯４１２ａと、が衝突するのを避けることができる。
【００９６】
［動作］
クラッチ装置１０においてレリーズ操作がなされていない状態では、サポートプレート１６とプレッシャプレート１４とは、コイルスプリング１９によって互いに離れる方向に付勢されている。サポートプレート１６はクラッチセンタ１３に固定されて軸方向に移動しないため、プレッシャプレート１４が軸方向の第２側に移動する。この結果、クラッチ部１５がクラッチオンとなる。
【００９７】
このような状態では、エンジンからのトルクが、入力ギア２０を介してクラッチハウジング１２に入力され、クラッチ部１５を介してクラッチセンタ１３及びプレッシャプレート１４に伝達される。
【００９８】
次にアシストカム機構１７及びスリッパカム機構１８の動作について詳細に説明する。
【００９９】
クラッチセンタ１３及びプレッシャプレート１４に駆動力が作用しているとき、すなわち正側のトルクが作用しているときには、クラッチハウジング２から入力されたトルクは、クラッチ部１５を介してクラッチセンタ１３とプレッシャプレート１４に出力される。プレッシャプレート１４に入力されたトルクは、アシストカム機構１７を介してサポートプレート１６に出力される。サポートプレート１６に入力されたトルクは、各固定用突起６２，３２を介してクラッチセンタ１３に出力される。このようにしてプレッシャプレート１４からサポートプレート１６にトルクが伝達されると同時に、アシストカム機構１７が作動する。
【０１００】
具体的には、駆動力が作用しているときには、サポートプレート１６に対してプレッシャプレート１４が図９の＋Ｒ方向に相対回転する。すると、ＳＰ・カム面１７ａに対してＰＰａ・カム面１７ｂが押圧される。ここで、クラッチセンタ１３は軸方向に移動しないために、サポートプレート１６も移動せず、ＳＰ・カム面１７ａに沿ってＰＰａ・カム面１７ｂが移動する結果、プレッシャプレート１４は軸方向の第２側に移動する。すなわち、プレッシャプレート１４の押圧部３７は、クラッチセンタ１３の受圧部２８に向かって移動する。この結果、押圧部３７と受圧部２８とによってクラッチ部１５が強固に挟持されることになり、クラッチの結合力が増加する。
【０１０１】
一方、アクセルを緩めた場合はクラッチセンタ１３を介して逆駆動力が作用し、この場合はスリッパカム機構１８が作動する。すなわち、トランスミッション側からのトルクによって、クラッチセンタ１３がプレッシャプレート１４に対して図９の＋Ｒ方向に相対回転する。逆に言えば、プレッシャプレート１４がクラッチセンタ１３に対して図０の−Ｒ方向に回転する。この相対回転によって、ＣＣ・カム面１８ａとＰＰｓ・カム面１８ｂとが互いに押圧される。クラッチセンタ１３は軸方向に移動しないために、この押圧により、ＣＣ・カム面１８ａに沿ってＰＰｓ・カム面１８ｂが移動し、プレッシャプレート１４は軸方向の第１側に移動する。この結果、押圧部３７が受圧部２８から離れる方向に移動することになり、クラッチの結合力が低減する。
【０１０２】
次に、ライダーがクラッチレバーを握ると、その操作力はクラッチワイヤ等を介してレリーズ機構（図示せず）に伝達される。このレリーズ機構によって、プレッシャプレート１４がコイルスプリング１９の付勢力に抗して軸方向の第１側に移動する。プレッシャプレート１４が軸方向の第１側に移動すると、プレッシャプレート１４のクラッチ部１５への押圧力が解除され、クラッチ部１５はオフ状態になる。このクラッチオフ状態では、クラッチハウジング１２からの回転はクラッチセンタ１３には伝達されない。
【０１０３】
［他の実施形態］
本発明は以上のような実施形態に限定されるものではなく、本発明の範囲を逸脱することなく種々の変形又は修正が可能である。
【０１０４】
（ａ）前記実施形態では、第１回転体の一例としてクラッチセンタを、第２回転体の一例としてプレッシャプレートを、支持部材としてサポートプレートを例にとって説明した。すなわち、前記実施形態では、プレッシャプレートを軸方向の第１側に移動させ、クラッチ部をオフする、いわゆるプルタイプのクラッチ装置に本発明を適用したが、いわゆるプッシュタイプのクラッチ装置にも本発明を同様に適用することができる。
【０１０５】
図１１Ａ及び図１１Ｂにプッシュタイプのクラッチ装置を示している。図１１Ａは図１Ａに対応し、図１１Ｂは図１Ｂに対応している。
【０１０６】
プッシュタイプのクラッチ装置１１０では、第１回転体はプレッシャプレート１１４に、第２回転体はクラッチセンタ１１３に、支持部材はリフタプレート１１６に相当する。
【０１０７】
具体的には、プッシュタイプのクラッチ装置１１０では、軸方向の第１側から第２側に向けて、プレッシャプレート１１４、クラッチセンタ１１３、及びリフタプレート１１６が配置されている。プレッシャプレート１１４とリフタプレート１１６とは、クラッチセンタ１１３に形成された開口１１３ａを通して、ボルト１６３により互いに固定されている。そして、クラッチセンタ１１３とリフタプレート１１６との間に、コイルスプリング１１９が配置されている。また、プレッシャプレート１１４の押圧部１４２と、クラッチセンタ１１３の受圧部１２８と、の間に、クラッチ部１１５が配置されている。これらの各部材は、プルタイプのクラッチ装置１０と同様に、クラッチハウジング１１２の内部に収容されている。
【０１０８】
クラッチセンタ１１３は軸方向に移動しないので、コイルスプリング１１９によってリフタプレート１１６が軸方向の第１側に付勢されている。すなわち、リフタプレート１１６に固定されたプレッシャプレート１１４が軸方向の第１側に付勢され、プレッシャプレート１１４がクラッチセンタ１１３に対して押圧されて、クラッチ部１１５がオン状態になっている。
【０１０９】
そして、リフタプレート１１６及びプレッシャプレート１１４を、コイルスプリング１１９の付勢力に抗して軸方向の第２側に移動させることによって、クラッチ部１１５がオフされる。
【０１１０】
また、プッシュタイプのクラッチ装置１１０では、図１１Ｂに示すように、プレッシャプレート１１４とクラッチセンタ１１３との軸方向間にスリッパカム機構１１８が設けられ、クラッチセンタ１１３とリフタプレート１１６との間にアシストカム機構１１７が設けられている。各カム機構１１７，１１８の作動は、プルタイプのクラッチ装置１０と基本的に同様である。
【０１１１】
（ｂ）前記実施形態では、クラッチセンタ１３及びプレッシャプレート１４において、相手側部材の突出歯４１２ａ，２７２ａに対向する部分に欠損部２７２ｂ，４１２ｂを設けている。しかし、図１２に模式的に示すように、この欠損部に代えて、各突出歯４１２ａ，２７２ａの端面から離れるように退避する第１退避歯２７２ｄ（軸方向退避部の一例）及び第２退避歯４１２ｄ（軸方向退避部の一例）を設けてもよい。すなわち、第１退避歯２７２ｄは、プレッシャプレート１４側の第２突出歯４１２ａと軸方向に退避する位置に形成され、第２退避歯４１２ｄは、クラッチセンタ１３側の第１突出歯２７２ａと軸方向に退避する位置に形成されている。
【０１１２】
なお、第１退避歯２７２ｄ及び第２退避歯４１２ｄは、各突出歯４１２ａ，２７２ａの端面から離れるように退避していれば、各筒状部の本体２７１，４１１の端面に対してはどのような位置にあってもよい。例えば、第１退避歯２７２ｄ及び第２退避歯４１２ｄは、各筒状部の本体２７１，４１１の端面から離れる位置にあってもよい。また、第１退避歯２７２ｄ及び第２退避歯４１２ｄは、各筒状部の本体２７１，４１１の端面と面一の位置にあってもよい。さらに、第１退避歯２７２ｄ及び第２退避歯４１２ｄは、各筒状部の本体２７１，４１１の端面から突出する位置にあってもよい。
【０１１３】
なお、この例では、各突出歯２７２ａ，４１２ａは、先端面が対応する本体２７１，４１１の先端面から突出して形成されている。
【０１１４】
（ｃ）図１３に示すように、各ドリブンプレート５２１，５２２において、各突出歯２７２ａ，４１２ａに対応する位置の係合凹部５２１ｂ，５２２ｂを、複数の係合凸部にわたる幅に形成してもよい。その他、各突出歯２７２ａ，４１２ａに対応する位置の係合凹部５２１ａ，５２２ａに比較して幅広に形成してもよい。
【０１１５】
この装置では、カム機構１７，１８の作動によって、クラッチセンタ１３とプレッシャプレート１４との回転位相がずれる。このような場合でも、各突出歯２７２ａ，４１２ａが噛み合う係合凹部５２１ｂ，５２２ｂが幅広に形成されているので、各突出歯２７２ａ，４１２ａがドリブンプレート５２２，５２１に衝突するのを避けることができる。
【０１１６】
（ｄ）クラッチセンタ及びプレッシャプレートの構成は前記実施形態に限定されない。例えば、前記実施形態では、クラッチセンタ１３の円板部２６、筒状部２７、及び受圧部２８を一体で形成したが、それぞれ別の部材で形成してもよい。また、プレッシャプレート１４についても同様であり、ボス部４０、筒状部４１、及び押圧部４２を、それぞれ別の部材で形成してもよい。
【０１１７】
（ｅ）前記実施形態では、付勢部材としてコイルスプリングを例示したが、コイルスプリングの代わりに皿バネなどを使用してもよい。
【符号の説明】
【０１１８】
１０，１１０  クラッチ装置
１２，１１２  クラッチハウジング
１３，１１３  クラッチセンタ（回転伝達部材、第１又は第２回転体）
１４，１１４  プレッシャプレート（回転伝達部材、第２又は第１回転体）
１５，１１５  クラッチ部
１６  サポートプレート（支持部材）
１１６  リフタプレート
１９，１１９  コイルスプリング（付勢部材）
２７  筒状部
２７１  第１本体
２７２  第１歯（第１被係合部、第１係合凸部）
２７２ａ  第１突出歯（第１ガイド部）
２７２ｂ，４１２ｂ  欠損部
２７２ｃ，４１２ｃ  非突出歯（軸方向非突出部）
２７２ｄ，４１２ｄ  退避歯（軸方向退避部）
４１  筒状部
４１１  第２本体
４１２  第２歯（第２被係合部、第２係合凸部）
４１２ａ  第２突出歯（第２ガイド部）
５２  ドリブンプレート（クラッチプレート）
５２１ａ  第１係合凹部（第１係合部）
５２２ａ  第２係合凹部（第２係合部）
【図１Ａ】
2019158014.tif 000003
【図１Ｂ】
2019158014.tif 000004
【図２】
2019158014.tif 000005
【図３】
2019158014.tif 000006
【図４】
2019158014.tif 000007
【図５】
2019158014.tif 000008
【図６】
2019158014.tif 000009
【図７】
2019158014.tif 000010
【図８】
2019158014.tif 000011
【図９】
2019158014.tif 000012
【図１０】
2019158014.tif 000013
【図１１Ａ】
2019158014.tif 000014
【図１１Ｂ】
2019158014.tif 000015
【図１２】
2019158014.tif 000016
【図１３】
2019158014.tif 000017
【手続補正書】
【提出日】令和1年7月3日(2019.7.3)
【手続補正１】
【補正対象書類名】特許請求の範囲
【補正対象項目名】請求項１１
【補正方法】変更
【補正の内容】
【請求項１１】
前記第１回転体は、外周部に環状の受圧部を有するクラッチセンタであり、
前記第２回転体は、前記クラッチセンタの軸方向の第１側に前記クラッチセンタに対して軸方向に移動自在に配置され、前記受圧部と間隔をあけて配置される押圧部を有するプレッシャプレートであり、
前記クラッチセンタに固定されて前記プレッシャプレートに押圧力を与えるサポートプレートと、
前記クラッチセンタ及び前記プレッシャプレートを内部に収容するクラッチハウジングと、
前記受圧部と前記押圧部との間に配置され、前記クラッチハウジングから出力側への動力の伝達及び遮断を行うためのクラッチ部と、
前記サポートプレートと前記プレッシャプレートとの間に配置され、前記プレッシャプレートに押圧力を与えて前記クラッチ部を動力伝達状態にする付勢部材と、
をさらに備えた、
請求項１から１０のいずれかに記載のクラッチ装置。
【手続補正２】
【補正対象書類名】特許請求の範囲
【補正対象項目名】請求項１２
【補正方法】変更
【補正の内容】
【請求項１２】
前記第２回転体は、外周部に環状の受圧部を有するクラッチセンタであり、
前記第１回転体は、前記クラッチセンタの軸方向の第２側に前記クラッチセンタに対して軸方向に移動自在に配置され、前記受圧部と間隔をあけて配置される押圧部を有するプレッシャプレートであり、
前記プレッシャプレートに固定されて前記クラッチセンタに押圧力を与えるリフタプレートと、
前記クラッチセンタ及び前記プレッシャプレートを内部に収容するクラッチハウジングと、
前記受圧部と前記押圧部との間に配置され、前記クラッチハウジングから出力側への動力の伝達及び遮断を行うためのクラッチ部と、
前記リフタプレートと前記クラッチセンタとの間に配置され、前記プレッシャプレートに押圧力を与えて前記クラッチ部を動力伝達状態にする付勢部材と、
をさらに備えた、
請求項１から１０のいずれかに記載のクラッチ装置。
【手続補正３】
【補正対象書類名】明細書
【補正対象項目名】全文
【補正方法】変更
【補正の内容】
【発明の詳細な説明】
【技術分野】
【０００１】
本発明は、クラッチ装置に関する。
【背景技術】
【０００２】
例えば、自動二輪車及びバギーなどのモータサイクルには、エンジンからの動力をトランスミッションに伝達又は遮断するためにクラッチ装置が用いられている。このクラッチ装置は、エンジンのクランク軸側に連結されるクラッチハウジングと、トランスミッション側に連結されるクラッチセンタと、それらの間で動力の伝達、遮断を行うためのクラッチ部と、クラッチ部を押圧するためのプレッシャプレートとを有している。
【０００３】
この種のクラッチ装置として、特許文献１に記載のクラッチ装置が提案されている。このクラッチ装置は、クラッチセンタとプレッシャプレートとの間に軸方向間に配置されたクラッチ部を備えている。クラッチ部は、複数の第１及び第２クラッチプレートを有している。第１クラッチプレートは、クラッチハウジングに対して、軸方向に移動可能かつ相対回転不能である。第２クラッチプレートは、クラッチセンタに対して、軸方向に移動可能かつ相対回転不能である。そして、これらの第１及び第２クラッチプレートを、プレッシャプレートによって互いに押圧することにより、クラッチハウジングからクラッチセンタにトルクが伝達される。
【先行技術文献】
【特許文献】
【０００４】
【特許文献１】特開２０１７−１０１８１１号公報
【発明の概要】
【発明が解決しようとする課題】
【０００５】
特許文献１のクラッチ装置では、クラッチセンタと第２クラッチプレートとはスプラインによって結合されている。すなわち、クラッチセンタには複数の歯が形成され、第２クラッチプレートには、この歯に噛み合う複数の溝が形成され、互いに結合されている。
【０００６】
このような構成において、クラッチセンタに第２クラッチプレート組み込む場合、スプラインの歯、すなわち軸端面に対して、第２クラッチプレートを高い平行度を保持しつつスプラインの歯に挿入しなければならない。仮に、第２クラッチプレートがクラッチセンタの軸端面に対して傾斜していると、スプラインの歯に第２クラッチプレートが噛み込み、組み付けが困難になる。
【０００７】
本発明の課題は、係合部を有するクラッチプレートを、被係合部を有する回転伝達部材に組み付ける際に、その組み付けを容易にすることにある。
【課題を解決するための手段】
【０００８】
（１）本発明の一側面に係るクラッチ装置は、環状のクラッチプレートと、回転伝達部材と、を備えている。クラッチプレートは複数の係合部を有する。回転伝達部材は、回転軸の回りに回転可能であり、クラッチプレートが軸方向移動可能にかつ相対回転不能に組み付けられる。また、回転伝達部材は、円筒状の本体と、被係合部と、ガイド部と、を有している。被係合部は、本体に設けられ、クラッチプレートの係合部に係合可能である。ガイド部は、クラッチプレートを回転伝達部材に挿入して組み付ける際に、挿入ガイドとなる。
【０００９】
この装置では、回転伝達部材には、クラッチプレートを組み付ける際のガイド部が形成されている。したがって、このガイド部を案内としてクラッチプレートを回転伝達部材に挿入し、クラッチプレートの係合部と回転伝達部材の被係合部とを係合させることができる。このため、従来装置に比較してクラッチプレートの回転伝達部材への組付けが容易になる。
【００１０】
（２）好ましくは、係合部は、クラッチプレートの内周端部に形成された係合凹部である。また、被係合部は、回転伝達部材の本体の外周面に形成された係合凸部である。
【００１１】
この場合も、前記同様に、回転伝達部材のガイド部を案内としてクラッチプレートを回転伝達部材に容易に組み付けることができる。
【００１２】
（３）好ましくは、複数の係合凸部は、クラッチプレートが組み付けられる側の軸方向端面が他より軸方向に突出する複数の軸方向突出部を有している。そして、ガイド部は軸方向突出部である。
【００１３】
ここでは、回転伝達部材に設けられた軸方向突出部は、クラッチプレートが組み付けられる側に突出している。このため、この軸方向突出部にクラッチプレートの係合凹部の一部のみを差し込み、その軸方向突出部を案内としてクラッチプレートを回転伝達部材に挿入していくことができる。すなわち、軸方向突出部がクラッチプレートを回転伝達部材に組み付ける際のガイド部になり、クラッチプレートの組付けが容易になる。
【００１４】
（４）好ましくは、複数の係合凸部は複数の軸方向非突出部を有し、軸方向非突出部のクラッチプレートが組み付けられる側の軸方向端面は、円筒状本体の軸方向端面と軸方向において同じ位置である。
【００１５】
ここでは、回転伝達部材の複数の係合凸部のうちの一部のみを軸方向に突出させて軸方向突出部を実現できる。したがって、製造が容易になる。
【００１６】
（５）好ましくは、複数の係合凸部は複数の軸方向退避部を有している。軸方向退避部のクラッチプレートが組み付けられる側の軸方向端面は、軸方向非突出部の軸方向端面よりもさらに組付け側とは逆側に退避して形成されている。
【００１７】
（６）好ましくは、クラッチプレートは、軸方向突出部に係合する部分に、係合凹部の円周方向幅よりも幅広の切欠を有している。
【００１８】
ここでは、回転伝達部材とクラッチプレートの回転方向の位相がずれても、軸方向突出部がクラッチプレートに衝突するのを避けることができる。
【００１９】
（７）好ましくは、クラッチプレートは、複数の第１係合部を有する環状の第１クラッチプレートと、複数の第２係合部を有する環状の第２クラッチプレートと、を有し、第１クラッチプレートと第２クラッチプレートとは軸方向に並べて配置されている。また、回転伝達部材は、それぞれ回転軸の回りに回転可能であって軸方向に並べて配置された第１回転体及び第２回転体を有している。第１回転体は、第１クラッチプレートが軸方向移動可能にかつ相対回転不能に組み付けられる。第２回転体は、第２クラッチプレートが軸方向移動可能にかつ相対回転不能に組み付けられる。
【００２０】
さらに好ましくは、第１回転体は、円筒状の第１本体と、第１被係合部と、第１ガイド部と、を有している。第１被係合部は、第１本体に設けられ、第１クラッチプレートの第１係合部に係合可能である。第１ガイド部は、第１クラッチプレートを第１回転体に挿入して組み付ける際に、挿入ガイドとなる。また、第２回転体は、円筒状の第２本体と、第２被係合部と、第２ガイド部と、を有している。第２被係合部は、第２本体に設けられ、第２クラッチプレートの第２係合部に係合可能である。第２ガイド部は、第２クラッチプレートを第２回転体に挿入して組み付ける際に、挿入ガイドとなる。
【００２１】
（８）好ましくは、各クラッチプレート及び各回転体の構成は以下の通りである。第１係合部は、第１クラッチプレートの内周端部に形成された第１係合凹部である。第２係合部は、第２クラッチプレートの内周端部に形成された第２係合凹部である。第１被係合部は、第１本体の外周面に形成された第１係合凸部である。第２被係合部は、第２本体の外周面に形成された第２係合凸部である。複数の第１係合凸部は、第１クラッチプレートが組み付けられる側の軸方向端面が他より軸方向に突出する複数の第１軸方向突出部を有している。複数の第２係合凸部は、第２クラッチプレートが組み付けられる側の軸方向端面が他より軸方向に突出する複数の第２軸方向突出部を有している。そして、第１ガイド部は第１軸方向突出部であり、第２ガイド部は第２軸方向突出部である。
【００２２】
（９）好ましくは、第１回転体の第１クラッチプレートが組み付けられる側の軸方向端面と、第２回転体の第２クラッチプレートが組み付けられる側の軸方向端面とは、軸方向に対向して配置されている。
【００２３】
（１０）好ましくは、第１回転体と第２回転体の外径は同径である。
【００２４】
（１１）好ましくは、第１回転体は、外周部に環状の受圧部を有し、内周部がトランスミッション側の部材に連結されるクラッチセンタである。第２回転体は、クラッチセンタの軸方向の第１側にクラッチセンタに対して軸方向に移動自在に配置され、受圧部と間隔をあけて配置される押圧部を有するプレッシャプレートである。
【００２５】
そして、サポートプレートと、クラッチハウジングと、クラッチ部と、付勢部材と、をさらに備えているのが好ましい。サポートプレートは、クラッチセンタに固定されてプレッシャプレートに押圧力を与える。クラッチハウジングは、クラッチセンタ及びプレッシャプレートを内部に収容する。クラッチ部は、受圧部と押圧部との間に配置され、クラッチハウジングから出力側への動力の伝達及び遮断を行う。付勢部材は、サポートプレートとプレッシャプレートとの間に配置され、プレッシャプレートに押圧力を与えてクラッチ部を動力伝達状態にする。
【００２６】
この装置では、付勢部材によってプレッシャプレートがクラッチセンタ側に付勢されている。これにより、押圧部がクラッチ部を受圧部に対して押圧し、クラッチ部が動力伝達状態になっている。そして、プレッシャプレートを付勢部材の付勢力に抗して移動させることにより、クラッチ部は動力遮断状態になる。
【００２７】
（１２）好ましくは、第２回転体は、外周部に環状の受圧部を有し、内周部がトランスミッション側の部材に連結されるクラッチセンタである。第１回転体は、クラッチセンタの軸方向の第２側にクラッチセンタに対して軸方向に移動自在に配置され、受圧部と間隔をあけて配置される押圧部を有するプレッシャプレートである。
【００２８】
そして、リフタプレートと、クラッチハウジングと、クラッチ部と、付勢部材とをさらに備えているのが好ましい。リフタプレートは、プレッシャプレートに固定されてクラッチセンタに押圧力を与える。クラッチハウジングは、クラッチセンタ及びプレッシャプレートを内部に収容する。クラッチ部は、受圧部と押圧部との間に配置され、クラッチハウジングから出力側への動力の伝達及び遮断を行う。付勢部材は、リフタプレートとクラッチセンタとの間に配置され、プレッシャプレートに押圧力を与えてクラッチ部を動力伝達状態にする。
【００２９】
この装置では、付勢部材によってプレッシャプレートがクラッチセンタ側に付勢されている。これにより、押圧部がクラッチ部を受圧部に対して押圧し、クラッチ部が動力伝達状態になっている。そして、リフタプレートを介してプレッシャプレートを付勢部材の付勢力に抗して移動させることにより、クラッチ部は動力遮断状態になる。
【発明の効果】
【００３０】
以上のような本発明では、係合部を有するクラッチプレートを、被係合部を有する回転伝達部材に組み付ける際に、その組み付けが容易になる。
【図面の簡単な説明】
【００３１】
【図１Ａ】本発明の一実施形態によるクラッチ装置の断面図。
【図１Ｂ】前記クラッチ装置の他の断面部分図。
【図２】クラッチセンタの外観斜視図。
【図３】プレッシャプレートを軸方向の第２側から視た外観斜視図。
【図４】プレッシャプレートを軸方向の第１側から視た外観斜視図。
【図５】図１Ａの拡大部分図。
【図６】クラッチセンタの筒状部内周面に形成された油路を示す図。
【図７】サポートプレートの外観斜視図。
【図８】カム機構を説明するための展開図。
【図９】図８の一部を抽出した図。
【図１０】クラッチセンタ及びプレッシャプレートの外観側面図。
【図１１Ａ】他の実施形態によるプッシュタイプのクラッチ装置の断面図。
【図１１Ｂ】図１１Ａのクラッチ装置の他の断面図。
【図１２】他の実施形態によるクラッチセンタ及びプレッシャプレートの外周面を示す模式図。
【図１３】他の実施形態によるドリブンプレートの正面部分図。
【発明を実施するための形態】
【００３２】
［全体構成］
図１〜図８に、本発明の一実施形態によるクラッチ装置としてのモータサイクル用クラッチ装置１０を示している。図１Ａはクラッチ装置１０の断面図、図１Ｂは図１Ａとは異なる位置での断面図である。また、図２〜図４及び図７は主な部材の外観斜視図である。図１Ａ及び図１Ｂの断面図において、Ｏ−Ｏ線が回転軸線である。なお、以下の説明において、「軸方向」とは回転軸Ｏが延びる方向を示し、図１に示すように、図１の右側を「軸方向の第１側」、逆を「軸方向の第２側」とする。
【００３３】
クラッチ装置１０は、エンジンからの動力をトランスミッションに伝達したり、その伝達を遮断したりするように構成されている。このクラッチ装置１０は、クラッチハウジング１２、クラッチセンタ１３（回転伝達部材のうちの第１回転体の一例）、プレッシャプレート１４（回転伝達部材のうちの第２回転体の一例）、クラッチ部１５、サポートプレート１６（支持部材の一例）、アシストカム機構１７（図１Ｂ参照）、及びスリッパカム機構１８（図１Ｂ参照）を備えている。また、クラッチ装置１０は、複数の押圧用のコイルスプリング１９をさらに備えている。
【００３４】
［クラッチハウジング１２］
クラッチハウジング１２は、円板部１２ａ及び筒状部１２ｂを備え、入力ギア２０に連結されている。入力ギア２０はエンジン側のクランク軸に固定された駆動ギア（図示せず）に噛み合っている。
【００３５】
円板部１２ａには、複数のコイルスプリング２２を介して入力ギア２０が連結されている。複数のコイルスプリング２２は、入力ギア２０に形成された孔に挿入され、エンジンからの振動を吸収するために設けられたものである。
【００３６】
筒状部１２ｂは、円板部１２ａの外周縁から軸方向の第１側に延びるように形成されている。この筒状部１２ｂには、軸方向に延びる複数の切欠き１２ｃが円周方向に所定の間隔で形成されている。
【００３７】
［クラッチセンタ１３］
クラッチセンタ１３は、クラッチハウジング１２の内部、すなわちクラッチハウジング１２の筒状部１２ｂの内周部に配置されている。クラッチセンタ１３は略円板状であって、中央部に形成されたボス部２５と、円板部２６と、筒状部２７と、受圧部２８と、を有している。
【００３８】
ボス部２５は、軸方向の第１側に突出するように延びている。ボス部２５の中央部には軸方向に延びるスプライン孔２５ａが形成されている。このスプライン孔２５ａには、トランスミッションの入力軸（図示省略）が係合する。なお、クラッチセンタ１３は、軸方向において移動しない。
【００３９】
円板部２６は、ボス部２５から外周側に延びて形成されている。円板部２６には、図２に示すように、３つの第１突起部３０が形成されている。３つの第１突起部３０は、円板部２６の径方向の中間部に、円周方向に等角度間隔で並べて、かつ軸方向の第１側に突出して形成されている。また、３つの第１突起部３０は、筒状部２７の内周面２７ａから離れて形成されており、第１突起部３０の外周面と、筒状部２７の内周面２７ａと、の間には隙間が確保されている。
【００４０】
第１突起部３０は、第１カム用突起３１と、第１固定用突起３２と、を有している。第１カム用突起３１と第１固定用突起３２とは、円周方向に連続して一体で形成されている。
【００４１】
第１カム用突起３１の円周方向の端面（すなわち、第１突起部３０の円周方向の一方側の端面）には、スリッパカム機構１８を構成するクラッチセンタ１３側のカム面（以下、「ＣＣ・カム面」と記す）１８ａが形成されている（詳細は後述する）。
【００４２】
第１固定用突起３２の軸方向の長さ、すなわち第１固定用突起３２の高さは、第１カム用突起３１の高さより高い。すなわち、第１固定用突起３２の先端面３２ａ（軸方向の第１側の端面）は、第１カム用突起３１の先端面３１ａよりも、軸方向の第１側に突出している。また、第１固定用突起３２の高さは、筒状部２７の高さより低い。
【００４３】
このような第１固定用突起３２の構成により、第１固定用突起３２の先端面３２ａを旋盤により加工することが可能になる。
【００４４】
また、第１固定用突起３２の中心部には、軸方向に延びるねじ孔３２ｂが形成されている。
【００４５】
筒状部２７は、円板部２６の外周部から軸方向の第１側に延びて形成されている。筒状部２７は、円筒状の本体２７１（第１本体の一例）と、本体２７１の外周面に形成された係合用の複数の第１歯２７２（第１被係合部、第１係合凸部の一例）と、を有している。なお、筒状部２７及び係合用の複数の第１歯２７２についての詳細は後述する。
【００４６】
受圧部２８は、筒状部２７の外周側においてさらに外周側に延びて形成されている。受圧部２８は、環状であり、軸方向の第１側を向いている。この受圧部２８は、クラッチ部１５と対向している。
【００４７】
［プレッシャプレート１４］
プレッシャプレート１４は、図１Ａ，Ｂ、図３、及び図４に示すように、円板状の部材であり、クラッチセンタ１３の軸方向の第１側に配置されている。なお、図３はプレッシャプレート１４をクラッチセンタ１３側から視た図、図４はプレッシャプレート１４をクラッチセンタ１３とは逆側から視た図である。
【００４８】
プレッシャプレート１４は、クラッチセンタ１３に対して軸方向に移動自在である。プレッシャプレート１４は、中央部に形成されたボス部４０と、筒状部４１と、押圧部４２と、を有している。
【００４９】
ボス部４０は、軸方向の第１側に突出するように延びている。ボス部４０の中央には、円形の孔４０ａが形成されている。この孔４０ａに、図示しないレリーズ部材が挿入される。
【００５０】
筒状部４１は、ボス部４０の外周側に形成され、軸方向の第２側に突出している。筒状部４１は、軸方向と直交する方向視で、クラッチセンタ１３の筒状部２７と重なるように配置されている。また、筒状部４１は、クラッチセンタ１３の筒状部２７と、第１突起部３０と、の間の隙間に挿入されるように配置されている。
【００５１】
筒状部４１は、円筒状の本体４１１（第２本体の一例）と、本体４１１の外周面に形成された係合用の複数の第２歯４１２（第２被係合部、第２係合凸部の一例）と、を有している。複数の第２歯４１２は、本体４１１の外周面において、軸方向の第１側の端部に設けられている。複数の第２歯４１２の軸方向長さは、本体４１１の軸方向長さよりも短い。
【００５２】
図５に拡大して示すように、筒状部４１（本体４１１）の外周面４１ａは、クラッチセンタ１３の筒状部２７の内周面２７ａに遊びを持ちつつ嵌め合わされている。このように、プレッシャプレート１４の筒状部４１の外周面４１ａと、クラッチセンタ１３の筒状部２７の内周面２７ａと、の嵌合によって、プレッシャプレート１４はクラッチセンタ１３に対して径方向に位置決めされている。
【００５３】
また、筒状部４１は、中央部に形成された概略円形の孔４１ｂと、３つのカム用孔４１ｃと、３つの有底穴４１ｄ（図４参照）と、を有している。
【００５４】
カム用孔４１ｃは、中央部の孔４１ｂの外周側に、径方向外方に広がるように形成されている。図３、図４、及び図８に示すように、カム用孔４１ｃの円周方向に対向する壁面において、軸方向の第１側にはアシストカム機構１７用のカム面（以下、「ＰＰａ・カム面」と記す）１７ｂが形成され、軸方向の第２側にはスリッパカム機構１８用のカム面（以下、「ＰＰｓ・カム面」と記す）１８ｂが形成されている。各カム面１７ｂ，１８ｂの詳細については後述する。有底穴４１ｄは、孔４１ｂの外周側に、軸方向の第１側の面から所定の深さで形成されている。この有底穴４１ｄに、図１Ａ及び図８に示すように、コイルスプリング１９が配置されている。
【００５５】
押圧部４２は、環状に形成され、プレッシャプレート１４の外周部に形成されている。押圧部４２は、軸方向の第２側を向いている。また、押圧部４２は、軸方向において、クラッチセンタ１３の受圧部２８と間隔をあけて配置されている。この押圧部４２と受圧部２８との間に、クラッチ部１５が配置されている。すなわち、軸方向の第２側から第１側に向かって、受圧部２８、クラッチ部１５、押圧部４２の順に並んでいる。
【００５６】
＜油路＞
図６に示すように、クラッチセンタ１３の筒状部２７には、油路４５が形成されている。油路４５は、筒状部２７の内周側の潤滑油を、筒状部２７の外周側のクラッチ部１５に供給するものである。
【００５７】
油路４５は、それぞれ複数の溝４５ａ及び連絡孔４５ｂを有している。溝４５ａは、筒状部２７の内周面２７ａに形成されている。溝４５ａは、所定の深さを有し、円周方向に所定の幅を有している。溝４５ａの円周方向の幅は、連絡孔４５ｂの円周方向の幅よりも広い。また、溝４５ａは、軸方向の第１側に向かって開いており、軸方向の第２側へは、プレッシャプレート１４の筒状部４１の先端面よりも延びて形成されている。連絡孔４５ｂは、溝４５ａの底面から筒状部２７の外周面に貫通して形成されている。なお、連絡孔４５ｂが形成された個所の歯２７２は欠損している。
【００５８】
このような油路４５により、作動中において、筒状部２７の内周側の潤滑油は、遠心力によりいったん溝４５ａに溜まり、この溝４５ａから連絡孔４５ｂを介して筒状部２７の外周側のクラッチ部１５に供給される。また、溝４５ａは、軸方向の第１側に向かって開いているので、溝４５ａに溜まった潤滑油は、軸方向の第１側、すなわち、プレッシャプレート１４の歯４１２にも導かれる。この歯４１２に導かれた潤滑油は、後述する第２ドリブンプレート５２２の表面にも供給される。
【００５９】
［クラッチ部１５］
図１Ａ及び図１Ｂに示すように、クラッチ部１５は、複数のドライブプレート５１と、複数のドリブンプレート５２（クラッチプレートの一例）と、を有する。ドライブプレート５１及びドリブンプレート５２は、受圧部２８と押圧部４２との間に配置されている。両プレート５１，５２によって、クラッチハウジング１２とクラッチセンタ１３及びプレッシャプレート１４との間で動力を伝達したり、その動力の伝達が遮断されたりする。これらの両プレート５１，５２はともに環状に形成されており、軸方向に交互に配置されている。
【００６０】
ドライブプレート５１は、クラッチハウジング１２に対して、軸方向に移動可能であり、かつ相対回転不能である。すなわち、ドライブプレート５１は、クラッチハウジング１２と一体的に回転する。詳細には、ドライブプレート５１の外周部には径方向外側に突出する複数の係合突起が形成されている。この係合突起がクラッチハウジング１２の筒状部１２ｂに形成された係合用の切欠き１２ｃに噛み合っている。ドライブプレート５１には両面に摩擦材が貼付されている。
【００６１】
ドリブンプレート５２は、複数の第１ドリブンプレート５２１及び１枚の第２ドリブンプレート５２２を有している。第１ドリブンプレート５２１及び第２ドリブンプレート５２２は、それぞれ内周端部に複数の係合凹部５２１ａ，５２２ａ（第１係合部、第２係合部の一例。図１Ａ及び図５参照）を有している。
【００６２】
第１ドリブンプレート５２１の係合凹部５２１ａは、クラッチセンタ１３の筒状部２７に形成された係合用の第１歯２７２に係合している。また、第２ドリブンプレート５２２の係合用の凹部５２２ａは、プレッシャプレート１４の第２歯４１２に係合している。したがって、第１ドリブンプレート５２１は、クラッチセンタ１３に対して、軸方向に移動可能であり、かつ相対回転不能である。すなわち、第１ドリブンプレート５２１は、クラッチセンタ１３と一体的に回転する。また、第２ドリブンプレート５２２は、プレッシャプレート１４に対して、軸方向に移動可能であり、かつ相対回転不能である。すなわち、第２ドリブンプレート５２２は、プレッシャプレート１４と一体的に回転する。
【００６３】
［サポートプレート１６］
サポートプレート１６は、円板状の部材であり、プレッシャプレート１４よりも、軸方向の第１側に配置されている。図１Ａ，Ｂ及び図７に示すように、サポートプレート１６は、中央部に孔１６ａを有しており、この孔１６ａをプレッシャプレート１４のボス部４０が貫通している。また、サポートプレート１６は、３つの第２突起部５５と、３つの支持用凹部５６と、を有している。
【００６４】
３つの第２突起部５５は、孔１６ａの外周側に、円周方向に等角度間隔で並べて、かつ軸方向の第２側に突出して形成されている。第２突起部５５は、第２カム用突起６１と、第２固定用突起６２と、を有している。第２カム用突起６１と第２固定用突起６２とは、円周方向に連続して一体で形成されている。
【００６５】
第２カム用突起６１の円周方向の端面（すなわち、第２突起部５５の円周方向の一方側の端面）には、アシストカム機構１７を構成するサポートプレート１６側のカム面（第１カム面の一例であり、以下、「ＳＰ・カム面」と記す）１７ａが形成されている。
【００６６】
第２固定用突起６２の軸方向の長さ、すなわち第２固定用突起６２の高さは、第２カム用突起６１の高さより高い。すなわち、第２固定用突起６２の先端面６２ａ（軸方向の第２側の端面）は、第２カム用突起６１の先端面６１ａよりも、軸方向の第２側に突出している。
【００６７】
このような第２固定用突起６２の構成により、第２固定用突起６２の先端面６２ａを旋盤により加工することが可能になる。
【００６８】
また、第２固定用突起６２の中心部には、軸方向に延びる貫通孔６２ｂが形成されている。そして、クラッチセンタ１３の第１固定用突起３２の先端面３２ａとサポートプレート１６の第２固定用突起６２の先端面６２ａとを当接させ、第２固定用突起６２の貫通孔６２ｂを貫通するボルト６３（図１Ａ参照）をクラッチセンタ１３の第１固定用突起３２のねじ孔３２ｂに螺合することにより、クラッチセンタ１３にサポートプレート１６が固定されている。
【００６９】
また、第２固定用突起６２の外周部には、第２固定用突起６２の先端面６２ａよりもさらに軸方向の第２側に突出する位置決め部６２ｃが形成されている。位置決め部６２ｃの内周側の面は、クラッチセンタ１３の第１固定用突起３２の外周面に沿った形状であり、両者は当接している。この両者の当接によって、サポートプレート１６はクラッチセンタ１３に対して径方向に位置決めされている。
【００７０】
支持用凹部５６には、コイルスプリング１９の端面が当接している。すなわち、コイルスプリング１９は、プレッシャプレート１４の有底穴４１ｄの底面とサポートプレート１６の支持用凹部５６との間に配置され、プレッシャプレート１４を軸方向の第２側に付勢している。この付勢力よって、クラッチ部１５はレリーズ機構が作動していない状態では、クラッチオン（動力を伝達する状態）である。
【００７１】
［アシストカム機構１７及びスリッパカム機構１８］
アシストカム機構１７は、プレッシャプレート１４とサポートプレート１６との軸方向間に配置されている。アシストカム機構１７は、クラッチセンタ１３及びプレッシャプレート１４に駆動力が作用したときに（正側のトルクが作用したときに）、クラッチ部１５の結合力を増加させるための機構である。また、スリッパカム機構１８は、プレッシャプレート１４とクラッチセンタ１３の軸方向間に配置されている。スリッパカム機構１８は、クラッチセンタ１３及びプレッシャプレート１４に逆駆動力が作用したときに（負側のトルクが作用したときに）、クラッチ部１５の結合力を低減させるための機構である。
【００７２】
＜アシストカム機構１７＞
アシストカム機構１７は、図４，図７及び図８で示すように、複数（ここでは３個）のサポートプレート１６に設けられたＳＰ・カム面１７ａと、複数（ここでは３個）のプレッシャプレート１４に設けられたＰＰａ・カム面１７ｂと、を有する。
【００７３】
ＳＰ・カム面１７ａはサポートプレート１６の第２カム用突起６１に形成されている。第２カム用突起６１は、前述のように、第２突起部５５に第２固定用突起６２とともに、サポートプレート１６の軸方向の第２側の側面に軸方向に突出して形成されている。第２突起部５５はプレッシャプレート１４のカム用孔４１ｃに挿入されている。そして、第２突起部５５の円周方向の一方の端面にＳＰ・カム面１７ａが形成されている。ＳＰ・カム面１７ａは、円周方向に対して所定の角度で傾斜している。
【００７４】
ＰＰａ・カム面１７ｂは、プレッシャプレート１４のカム用孔４１ｃに形成されている。具体的には、カム用孔４１ｃは、円周方向の一方の端面（壁面）にＰＰａ・カム面１７ｂを有している。ＰＰａ・カム面１７ｂは、円周方向に対して、ＳＰ・カム面１７ａと同じ方向に同じ角度で傾斜している。そして、このＰＰａ・カム面１７ｂに、ＳＰ・カム面１７ａが当接可能である。
【００７５】
＜スリッパカム機構１８＞
スリッパカム機構１８は、図２，図３及び図８で示すように、複数（ここでは３個）のクラッチセンタ１３に設けられたＣＣ・カム面１８ａと、複数（ここでは３個）のプレッシャプレート１４に設けられたＰＰｓ・カム面１８ｂと、を有する。
【００７６】
ＣＣ・カム面１８ａはクラッチセンタ１３の第１カム用突起３１に形成されている。第１カム用突起３１は、前述のように、第１突起部３０に第１固定用突起３２とともに、クラッチセンタ１３の軸方向の第１側の側面に軸方向に突出して形成されている。第１突起部３０はプレッシャプレート１４のカム用孔４１ｃに挿入されている。そして、第１突起部３０の円周方向の一方の端面にＣＣ・カム面１８ａが形成されている。ＣＣ・カム面１８ａは、円周方向に対して所定の角度で傾斜している。
【００７７】
ＰＰｓ・カム面１８ｂは、プレッシャプレート１４のカム用孔４１ｃに形成されている。具体的には、カム用孔４１ｃにおいて、ＰＰａ・カム面１７ｂが形成された側面（壁面）と円周方向において対向する逆側の端面（壁面）が、ＰＰｓ・カム面１８ｂとなっている。ただし、ＰＰａ・カム面１７ｂとＰＰｓ・カム面１８ｂとは軸方向にずれて形成されている。ＰＰｓ・カム面１８ｂは、円周方向に対して、ＣＣ・カム面１８ａと同じ方向に同じ角度で傾斜している。そして、このＰＰｓ・カム面１８ｂに、ＣＣ・カム面１８ａが当接可能である。
【００７８】
［カム面の方向と高さ］
プレッシャプレート１４は、前述のように、筒状部４１を有しており、この筒状部４１に形成されたカム用孔４１ｃの壁面にＰＰａ・カム面１７ｂ及びＰＰｓ・１８ｂが形成されている。
【００７９】
ここで、ＰＰａ・カム面１７ｂの軸方向第２側の端部を始端部、第１側の端部を終端部とする。この場合、図９に示すように、筒状部４１の軸方向の第２側の面からの高さＨ（軸方向長さ）は、ＰＰａ・カム面１７ｂの始端部Ｓａを超えて終端部まで延びている。すなわち、筒状部４１において、ＰＰａ・カム面１７ｂが形成されている部分は環状に連続している。
【００８０】
また、同様に、ＰＰｓ・カム面１８ｂの軸方向第１側の端部を始端部、第２側の端部を終端部とする。この場合、図９に示すように、筒状部４１の軸方向の第１側の面からの高さＨ（軸方向長さ）は、ＰＰｓ・カム面１８ｂの始端部Ｓｓを超えて終端部まで延びている。すなわち、筒状部４１において、ＰＰｓ・カム面１８ｂが形成されている部分は環状に連続している。
【００８１】
このように、各カム面１７ｂ，１８ｂが形成されている部分は、環状に連続している。このため、各カム面１７ｂ，１８ｂに力が作用してもプレッシャプレート１４に局部的に応力が発生することはなく、従来装置に比較してプレッシャプレート１４の強度が向上している。
【００８２】
また、ＳＰ・カム面１７ａは、第２突起部５５の回転方向の−Ｒ側に形成され、ＣＣ・カム面１８ａは、第１突起部３０の回転方向の＋Ｒ側に形成されている。言い換えれば、サポートプレート１６の第２カム用突起６１は、第２突起部５５において、第２固定用突起６２の回転方向の−Ｒ側に形成され、クラッチセンタ１３の第１カム用突起３１は、第１突起部３０において、第１固定用突起３２の回転方向の＋Ｒ側に形成されている。
【００８３】
このような構成において、アシストカム機構１７が作動した場合、ＳＰ・カム面１７ａに＋Ｒ方向の力が作用する。この力は、各固定用突起６２，３２で受けられるとともに、第１カム用突起３１を介してクラッチセンタ１３で受けられる。すなわち、板厚の厚い部分で力を受けることができるために、クラッチセンタ１３において応力が高くなるのを抑えることができる。
【００８４】
スリッパカム機構１８が作動した場合も同様であり、ＣＣ・カム面１８ａに−Ｒ方向の力が作用した場合、この力は、各固定用突起３２，６２及び第２カム用突起６１を介してサポートプレート１６で受けられる。このため、板厚の厚い部分で力を受けることができるために、サポートプレート１６において応力が高くなるのを抑えることができる。
【００８５】
［第１歯２７２及び第２歯４１２について］
前述のように、クラッチセンタ１３の筒状部２７の外周面には、複数の係合用の第１歯２７２が形成されている。また、プレッシャプレート１４の筒状部４１の外周面には、複数の係合用の第２歯４１２が形成されている。第１歯２７２と第２歯４１２の外径は同じである。
【００８６】
複数の第１歯２７２は、図２に示すように、軸方向の第１側に突出する複数（この例では６個）の第１突出歯２７２ａ（第１ガイド部及び第１軸方向突出部の一例）を有している。また、複数の第１歯２７２のうちの６箇所は、歯が欠損する欠損部２７２ｂとなっている。なお、軸方向の第１側は、クラッチセンタ１３に対して第１ドリブンプレート５２１を組み付ける側である。
【００８７】
具体的には、第１突出歯２７２ａの第１ドリブンプレート５２１を組み付ける側の端面は、残りの突出していない複数の非突出歯２７２ｃ（軸方向非突出部の一例）よりも、第１ドリブンプレート５２１を組み付ける側に突出している。複数の第１突出歯２７２ａ及び欠損部２７２ｂは、回転中心に対して対称な位置に形成されている。なお、非突出歯２７２ｃの先端面は、筒状部２７の本体２７１の軸方向端面と同じ位置である。
【００８８】
このような第１突出歯２７２ａを設けることによって、第１ドリブンプレート５２１をクラッチセンタ１３の筒状部２７の第１歯２７２に組み付ける際に、組付けが容易になる。詳細には、仮に第１突出歯２７２ａが設けられていないとすると、第１歯２７２の端面、すなわち筒状部２７の軸端面に対して、第１ドリブンプレート５２１を高い平行度を保持しつつ、第１歯２７２と第１ドリブンプレート５２１の係合凹部５２１ａを位置合わせし、組み付ける必要がある。したがって、第１ドリブンプレート５２１が筒状部２７の軸端面に対して傾斜していると、第１歯２７２に第１ドリブンプレート５２１の係合凹部５２１ａが噛み込み、組み付けが困難になる。
【００８９】
これに対して、第１歯２７２に第１突出歯２７２ａを設けることによって、第１突出歯２７２ａが組み付け時の挿入ガイドとして機能する。したがって、第１突出歯２７２ａに第１ドリブンプレート５２１の係合凹部５２１ａの一部のみを差し込み、その第１突出歯２７２ａを案内として第１ドリブンプレート５２１を筒状部２７の第１歯２７２に挿入していくことができる。このため、組み付け時に、第１歯２７２と係合凹部５２１ａとの噛み込みの発生を抑えることができ、第１ドリブンプレート５２１の組付けが容易になる。
【００９０】
また、図３に示すように、プレッシャプレート１４側の第２歯４１２についても、同様に、軸方向の第２側に突出する複数（この例では６個）の第２突出歯４１２ａ（第２ガイド部及び第２軸方向突出部の一例）を有している。また、複数の第２歯４１２のうちの６箇所は、歯が欠損する欠損部４１２ｂとなっている。なお、軸方向の第２側は、プレッシャプレート１４に対して第２ドリブンプレート５２２を組み付ける側である。
【００９１】
具体的には、第２突出歯４１２ａの第２ドリブンプレート５２２を組み付ける側の端面は、残りの突出していない複数の非突出歯４１２ｃ（軸方向非突出部の一例）よりも、第２ドリブンプレート５２２を組み付ける側に突出している。複数の第２突出歯４１２ａ及び欠損部４１２ｂは、回転中心に対して対称な位置に形成されている。
【００９２】
このような第２突出歯４１２ａを設けることによって、前記同様に、第２ドリブンプレート５２２をプレッシャプレート１４の筒状部４１の第２歯４１２に組み付ける際に、組付けが容易になる。
【００９３】
ここで、図１０に示すように、クラッチセンタ１３及びプレッシャプレート１４は、クラッチセンタ１３の第１突出歯２７２ａと、プレッシャプレート１４の欠損部４１２ｂと、が軸方向で対向するように配置されている。また、クラッチセンタ１３及びプレッシャプレート１４は、プレッシャプレート１４の第２突出歯４１２ａと、クラッチセンタ１３の欠損部２７２ｂと、が軸方向で対向するように配置されている。
【００９４】
また、クラッチセンタ１３において、欠損部２７２ｂの軸方向端面は、非突出歯２７２ｃの軸方向端面（先端面）よりも、軸方向の第２側に退避するように形成されている。
【００９５】
このような構成により、ドライブプレート５１の摩擦材が摩耗し、プレッシャプレート１４がクラッチセンタ１３に対して初期状態よりも接近するような状況になっても、クラッチセンタ１３の第１突出歯２７２ａと、プレッシャプレート１４の第２突出歯４１２ａと、が衝突するのを避けることができる。
【００９６】
［動作］
クラッチ装置１０においてレリーズ操作がなされていない状態では、サポートプレート１６とプレッシャプレート１４とは、コイルスプリング１９によって互いに離れる方向に付勢されている。サポートプレート１６はクラッチセンタ１３に固定されて軸方向に移動しないため、プレッシャプレート１４が軸方向の第２側に移動する。この結果、クラッチ部１５がクラッチオンとなる。
【００９７】
このような状態では、エンジンからのトルクが、入力ギア２０を介してクラッチハウジング１２に入力され、クラッチ部１５を介してクラッチセンタ１３及びプレッシャプレート１４に伝達される。
【００９８】
次にアシストカム機構１７及びスリッパカム機構１８の動作について詳細に説明する。
【００９９】
クラッチセンタ１３及びプレッシャプレート１４に駆動力が作用しているとき、すなわち正側のトルクが作用しているときには、クラッチハウジング２から入力されたトルクは、クラッチ部１５を介してクラッチセンタ１３とプレッシャプレート１４に出力される。プレッシャプレート１４に入力されたトルクは、アシストカム機構１７を介してサポートプレート１６に出力される。サポートプレート１６に入力されたトルクは、各固定用突起６２，３２を介してクラッチセンタ１３に出力される。このようにしてプレッシャプレート１４からサポートプレート１６にトルクが伝達されると同時に、アシストカム機構１７が作動する。
【０１００】
具体的には、駆動力が作用しているときには、サポートプレート１６に対してプレッシャプレート１４が図９の＋Ｒ方向に相対回転する。すると、ＳＰ・カム面１７ａに対してＰＰａ・カム面１７ｂが押圧される。ここで、クラッチセンタ１３は軸方向に移動しないために、サポートプレート１６も移動せず、ＳＰ・カム面１７ａに沿ってＰＰａ・カム面１７ｂが移動する結果、プレッシャプレート１４は軸方向の第２側に移動する。すなわち、プレッシャプレート１４の押圧部４２は、クラッチセンタ１３の受圧部２８に向かって移動する。この結果、押圧部４２と受圧部２８とによってクラッチ部１５が強固に挟持されることになり、クラッチの結合力が増加する。
【０１０１】
一方、アクセルを緩めた場合はクラッチセンタ１３を介して逆駆動力が作用し、この場合はスリッパカム機構１８が作動する。すなわち、トランスミッション側からのトルクによって、クラッチセンタ１３がプレッシャプレート１４に対して図９の＋Ｒ方向に相対回転する。逆に言えば、プレッシャプレート１４がクラッチセンタ１３に対して図９の−Ｒ方向に回転する。この相対回転によって、ＣＣ・カム面１８ａとＰＰｓ・カム面１８ｂとが互いに押圧される。クラッチセンタ１３は軸方向に移動しないために、この押圧により、ＣＣ・カム面１８ａに沿ってＰＰｓ・カム面１８ｂが移動し、プレッシャプレート１４は軸方向の第１側に移動する。この結果、押圧部４２が受圧部２８から離れる方向に移動することになり、クラッチの結合力が低減する。
【０１０２】
次に、ライダーがクラッチレバーを握ると、その操作力はクラッチワイヤ等を介してレリーズ機構（図示せず）に伝達される。このレリーズ機構によって、プレッシャプレート１４がコイルスプリング１９の付勢力に抗して軸方向の第１側に移動する。プレッシャプレート１４が軸方向の第１側に移動すると、プレッシャプレート１４のクラッチ部１５への押圧力が解除され、クラッチ部１５はオフ状態になる。このクラッチオフ状態では、クラッチハウジング１２からの回転はクラッチセンタ１３には伝達されない。
【０１０３】
［他の実施形態］
本発明は以上のような実施形態に限定されるものではなく、本発明の範囲を逸脱することなく種々の変形又は修正が可能である。
【０１０４】
（ａ）前記実施形態では、第１回転体の一例としてクラッチセンタを、第２回転体の一例としてプレッシャプレートを、支持部材としてサポートプレートを例にとって説明した。すなわち、前記実施形態では、プレッシャプレートを軸方向の第１側に移動させ、クラッチ部をオフする、いわゆるプルタイプのクラッチ装置に本発明を適用したが、いわゆるプッシュタイプのクラッチ装置にも本発明を同様に適用することができる。
【０１０５】
図１１Ａ及び図１１Ｂにプッシュタイプのクラッチ装置を示している。図１１Ａは図１Ａに対応し、図１１Ｂは図１Ｂに対応している。
【０１０６】
プッシュタイプのクラッチ装置１１０では、第１回転体はプレッシャプレート１１４に、第２回転体はクラッチセンタ１１３に、支持部材はリフタプレート１１６に相当する。
【０１０７】
具体的には、プッシュタイプのクラッチ装置１１０では、軸方向の第２側から第１側に向けて、プレッシャプレート１１４、クラッチセンタ１１３、及びリフタプレート１１６が配置されている。プレッシャプレート１１４とリフタプレート１１６とは、クラッチセンタ１１３に形成された開口１１３ａを通して、ボルト１６３により互いに固定されている。そして、クラッチセンタ１１３とリフタプレート１１６との間に、コイルスプリング１１９が配置されている。また、プレッシャプレート１１４の押圧部１４２と、クラッチセンタ１１３の受圧部１２８と、の間に、クラッチ部１１５が配置されている。これらの各部材は、プルタイプのクラッチ装置１０と同様に、クラッチハウジング１１２の内部に収容されている。
【０１０８】
クラッチセンタ１１３は軸方向に移動しないので、コイルスプリング１１９によってリフタプレート１１６が軸方向の第１側に付勢されている。すなわち、リフタプレート１１６に固定されたプレッシャプレート１１４が軸方向の第１側に付勢され、プレッシャプレート１１４がクラッチセンタ１１３に対して押圧されて、クラッチ部１１５がオン状態になっている。
【０１０９】
そして、リフタプレート１１６及びプレッシャプレート１１４を、コイルスプリング１１９の付勢力に抗して軸方向の第２側に移動させることによって、クラッチ部１１５がオフされる。
【０１１０】
また、プッシュタイプのクラッチ装置１１０では、図１１Ｂに示すように、プレッシャプレート１１４とクラッチセンタ１１３との軸方向間にスリッパカム機構１１８が設けられ、クラッチセンタ１１３とリフタプレート１１６との間にアシストカム機構１１７が設けられている。各カム機構１１７，１１８の作動は、プルタイプのクラッチ装置１０と基本的に同様である。
【０１１１】
（ｂ）前記実施形態では、クラッチセンタ１３及びプレッシャプレート１４において、相手側部材の突出歯４１２ａ，２７２ａに対向する部分に欠損部２７２ｂ，４１２ｂを設けている。しかし、図１２に模式的に示すように、この欠損部に代えて、各突出歯４１２ａ，２７２ａの端面から離れるように退避する第１退避歯２７２ｄ（軸方向退避部の一例）及び第２退避歯４１２ｄ（軸方向退避部の一例）を設けてもよい。すなわち、第１退避歯２７２ｄは、プレッシャプレート１４側の第２突出歯４１２ａと軸方向に退避する位置に形成され、第２退避歯４１２ｄは、クラッチセンタ１３側の第１突出歯２７２ａと軸方向に退避する位置に形成されている。
【０１１２】
なお、第１退避歯２７２ｄ及び第２退避歯４１２ｄは、各突出歯４１２ａ，２７２ａの端面から離れるように退避していれば、各筒状部の本体２７１，４１１の端面に対してはどのような位置にあってもよい。例えば、第１退避歯２７２ｄ及び第２退避歯４１２ｄは、各筒状部の本体２７１，４１１の端面から離れる位置にあってもよい。また、第１退避歯２７２ｄ及び第２退避歯４１２ｄは、各筒状部の本体２７１，４１１の端面と面一の位置にあってもよい。さらに、第１退避歯２７２ｄ及び第２退避歯４１２ｄは、各筒状部の本体２７１，４１１の端面から突出する位置にあってもよい。
【０１１３】
なお、この例では、各突出歯２７２ａ，４１２ａは、先端面が対応する本体２７１，４１１の先端面から突出して形成されている。
【０１１４】
（ｃ）図１３に示すように、各ドリブンプレート５２１，５２２において、各欠損部２７２ｂ，４１２ｂに対応する位置の係合凹部５２１ｂ，５２２ｂを、複数の係合凸部にわたる幅に形成してもよい。その他、各突出歯２７２ａ，４１２ａに対応する位置の係合凹部５２１ａ，５２２ａに比較して幅広に形成してもよい。
【０１１５】
この装置では、カム機構１７，１８の作動によって、クラッチセンタ１３とプレッシャプレート１４との回転位相がずれる。このような場合でも、各突出歯２７２ａ，４１２ａが噛み合う係合凹部５２１ｂ，５２２ｂが幅広に形成されているので、各突出歯２７２ａ，４１２ａがドリブンプレート５２２，５２１に衝突するのを避けることができる。
【０１１６】
（ｄ）クラッチセンタ及びプレッシャプレートの構成は前記実施形態に限定されない。例えば、前記実施形態では、クラッチセンタ１３の円板部２６、筒状部２７、及び受圧部２８を一体で形成したが、それぞれ別の部材で形成してもよい。また、プレッシャプレート１４についても同様であり、ボス部４０、筒状部４１、及び押圧部４２を、それぞれ別の部材で形成してもよい。
【０１１７】
（ｅ）前記実施形態では、付勢部材としてコイルスプリングを例示したが、コイルスプリングの代わりに皿バネなどを使用してもよい。
【符号の説明】
【０１１８】
１０，１１０  クラッチ装置
１２，１１２  クラッチハウジング
１３，１１３  クラッチセンタ（回転伝達部材、第１又は第２回転体）
１４，１１４  プレッシャプレート（回転伝達部材、第２又は第１回転体）
１５，１１５  クラッチ部
１６  サポートプレート（支持部材）
１１６  リフタプレート
１９，１１９  コイルスプリング（付勢部材）
２７  筒状部
２７１  第１本体
２７２  第１歯（第１被係合部、第１係合凸部）
２７２ａ  第１突出歯（第１ガイド部）
２７２ｂ，４１２ｂ  欠損部
２７２ｃ，４１２ｃ  非突出歯（軸方向非突出部）
２７２ｄ，４１２ｄ  退避歯（軸方向退避部）
４１  筒状部
４１１  第２本体
４１２  第２歯（第２被係合部、第２係合凸部）
４１２ａ  第２突出歯（第２ガイド部）
５２  ドリブンプレート（クラッチプレート）
５２１ａ  第１係合凹部（第１係合部）
５２２ａ  第２係合凹部（第２係合部）
【手続補正４】
【補正対象書類名】図面
【補正対象項目名】図１Ａ
【補正方法】変更
【補正の内容】
【図１Ａ】
2019158014.tif 000018
【手続補正５】
【補正対象書類名】図面
【補正対象項目名】図２
【補正方法】変更
【補正の内容】
【図２】
2019158014.tif 000019
【手続補正６】
【補正対象書類名】図面
【補正対象項目名】図３
【補正方法】変更
【補正の内容】
【図３】
2019158014.tif 000020
【手続補正７】
【補正対象書類名】図面
【補正対象項目名】図８
【補正方法】変更
【補正の内容】
【図８】
2019158014.tif 000021
【手続補正８】
【補正対象書類名】図面
【補正対象項目名】図１１Ｂ
【補正方法】変更
【補正の内容】
【図１１Ｂ】
2019158014.tif 000022
【手続補正９】
【補正対象書類名】図面
【補正対象項目名】図１２
【補正方法】変更
【補正の内容】
【図１２】
2019158014.tif 000023
【手続補正１０】
【補正対象書類名】図面
【補正対象項目名】図１３
【補正方法】変更
【補正の内容】
【図１３】
2019158014.tif 000024